(57)【要約】本願は、モデムシステム、モデム装置、モデムコネクタ、ホストコネクタ、通信システムおよび通信カード等のさまざまな例示の実施例を提供する。たとえば、ホストが通信線上で通信するのを可能にするのに用いられるモデム装置が提供され、ホストはコネクタを有する。モデム装置は、通信線（２０５）とインターフェイスすることのできる回線側回路（２１５）および回線側回路（２１５）に結合されたデジタルアイソレーションバリアＤＩＢ（２２０）を含み、デジタルアイソレーションバリアは、ホストコンピュータに接続するためにモデムコネクタ（２３０）に接続することができ、デジタルアイソレーションバリアはモデムコネクタを回線側回路から分離することができる。さらに、回線側回路は、デジタルアイソレーションバリアと通信するための回線側ＤＩＢインターフェイスを含んでもよい。さらに、モデムコネクタは、１つ以上の線を介してデジタルアイソレーションバリアに接続されてもよい。
2005537694.tif 000002
【特許請求の範囲】
【請求項１】
ホストが通信線上で通信するのを可能にするために用いられるモデムシステムであって、前記ホストはホストコネクタを有し、前記モデムシステムは、
前記通信線とインターフェイスすることができる回線側回路と、
前記回線側回路に結合されたデジタルアイソレーションバリア（ＤＩＢ）と、
前記デジタルアイソレーションバリアに接続され、かつ前記デジタルアイソレーションバリアを前記ホストコネクタに接続することができるモデムコネクタとを含み、前記デジタルアイソレーションバリアは、前記モデムコネクタを前記回線側回路から分離する、モデムシステム。
【請求項２】
前記回線側回路は、前記デジタルアイソレーションバリアと通信するための回線側ＤＩＢインターフェイスを含む、請求項１に記載のモデムシステム。
【請求項３】
前記デジタルアイソレーションバリアは、２本のデータ／制御線および２本の電力／クロック線を含む複数の線を介して、前記回線側回路に結合される、請求項１に記載のモデムシステム。
【請求項４】
前記複数の線はアースラインを含む、請求項３に記載のモデムシステム。
【請求項５】
前記モデムコネクタは、２本のデータ／制御線および２本の電力／クロック線を含む複数の線を介して前記デジタルアイソレーションバリアに接続される、請求項１に記載のモデムシステム。
【請求項６】
前記複数の線はアースラインを含む、請求項５に記載のモデムシステム。
【請求項７】
前記モデムコネクタは、単一の差動ペアのデータ／制御線を介して前記デジタルアイソレーションバリアに接続される、請求項１に記載のモデムシステム。
【請求項８】
前記モデムコネクタは、前記単一の差動ペアの／データ制御線および１本のアースラインを介して前記デジタルアイソレーションバリアに接続される、請求項７に記載のモデムシステム。
【請求項９】
前記モデムコネクタは、複数の差動ペアのデータ／制御線を介して前記デジタルアイソレーションバリアに接続される、請求項１に記載のモデムシステム。
【請求項１０】
前記モデムコネクタは、前記複数の差動ペアのデータ／制御線および１本のアースラインを介して前記デジタルアイソレーションバリアに接続される、請求項９に記載のモデムシステム。
【請求項１１】
前記モデムコネクタは、単一のデータ／制御線を介して前記デジタルアイソレーションバリアに接続される、請求項１に記載のモデムシステム。
【請求項１２】
前記モデムコネクタは、前記単一のデータ／制御線および１本のアースラインを介して前記デジタルアイソレーションバリアに接続される、請求項１１に記載のモデムシステム。
【請求項１３】
ホストが通信線上で通信するのを可能にするために用いられるモデム装置であって、前記ホストはホストコネクタを有し、前記モデム装置は、
前記通信線とインターフェイスすることができる回線側回路と、
前記回線側回路に結合されたデジタルアイソレーションバリア（ＤＩＢ）とを含み、前記デジタルアイソレーションバリアは、前記ホストコネクタに接続するためにモデムコネクタに接続することができ、前記デジタルアイソレーションバリアは、前記モデムコネクタを前記回線側回路から分離することができる、モデム装置。
【請求項１４】
前記回線側回路は、前記デジタルアイソレーションバリアと通信するための回線側ＤＩＢインターフェイスを含む、請求項１３に記載のモデム装置。
【請求項１５】
前記デジタルアイソレーションバリアは、２本のデータ／制御線および２本の電力／クロック線を含む複数の線を介して前記回線側回路に結合される、請求項１３に記載のモデム装置。
【請求項１６】
前記複数の線はアースラインを含む、請求項１５に記載のモデム装置。
【請求項１７】
前記デジタルアイソレーションバリアは、２本のデータ／制御線および２本の電力／クロック線を含む複数の線を介して前記モデムコネクタに接続することができる、請求項１３に記載のモデム装置。
【請求項１８】
前記複数の線はアースラインを含む、請求項１７に記載のモデム装置。
【請求項１９】
前記デジタルアイソレーションバリアは、２本のデータ／制御線および２本の電力／クロック線を介して前記モデムコネクタに接続することができる、請求項１３に記載のモデム装置。
【請求項２０】
前記デジタルアイソレーションバリアは、単一の差動ペアのデータ／制御線を介して、前記モデムコネクタに接続することができる、請求項１３に記載のモデム装置。
【請求項２１】
前記モデムコネクタは、前記単一の差動ペアのデータ／制御線および１本のアースラインを介して前記デジタルアイソレーションバリアに接続される、請求項２０に記載のモデム装置。
【請求項２２】
前記モデムコネクタは、複数の差動ペアのデータ／制御線を介して前記デジタルアイソレーションバリアに接続される、請求項１３に記載のモデムシステム。
【請求項２３】
前記モデムコネクタは、前記複数の差動ペアのデータ／制御線および１本のアースラインを介して前記デジタルアイソレーションバリアに接続される、請求項２２に記載のモデム装置。
【請求項２４】
前記デジタルアイソレーションバリアは、単一のデータ／制御線を介して前記モデムコネクタに接続することができる、請求項１３に記載のモデム装置。
【請求項２５】
前記デジタルアイソレーションバリアは、前記単一のデータ／制御線および１本のアースラインを介して前記モデムコネクタに接続することができる、請求項２４に記載のモデム装置。
【請求項２６】
ホストが通信線上で通信するのを可能にするために用いられるモデムシステムであって、前記ホストはホストコネクタを有し、前記モデムシステムは、
前記通信線を受けるための開口を有する通信線レシーバを含み、前記開口は複数の側壁を規定し、前記モデムシステムはさらに、
前記通信線レシーバとインターフェイスすることができる回線側回路と、
前記回線側回路に結合されたデジタルアイソレーションバリア（ＤＩＢ）とを含み、前記デジタルアイソレーションバリアはモデムコネクタに接続することができ、前記デジタルアイソレーションバリアは前記モデムコネクタを前記回線側回路から分離し、
前記モデムコネクタは前記ホストコネクタに接続することができ、前記回線回路および前記デジタルアイソレーションバリアは、前記複数の側壁のうちの１つ以上に装着される、モデムシステム。
【請求項２７】
前記デジタルアイソレーションバリアは前記モデムコネクタに接続される、請求項２６に記載のモデムシステム。
【請求項２８】
前記モデムコネクタは前記ホストコネクタに接続される、請求項２６に記載のモデムシステム。
【請求項２９】
前記回線側回路は、前記デジタルアイソレーションバリアと通信するための回線側ＤＩＢインターフェイスを含む、請求項２６に記載のモデムシステム。
【請求項３０】
前記デジタルアイソレーションバリアは、２本のデータ／制御線および２本の電力／クロック線を含む複数の線を介して前記回線側回路に結合される、請求項２６に記載のモデムシステム。
【請求項３１】
前記複数の線はアースラインを含む、請求項３１に記載のモデムシステム。
【請求項３２】
前記モデムコネクタは、２本のデータ／制御線および２本の電力／クロック線を含む複数の線を介して前記デジタルアイソレーションバリアに接続される、請求項２６に記載のモデムシステム。
【請求項３３】
前記複数の線はアースラインを含む、請求項３２に記載のモデムシステム。
【請求項３４】
前記モデムコネクタは、単一の差動ペアのデータ／制御線を介して前記デジタルアイソレーションバリアに接続される、請求項２６に記載のモデムシステム。
【請求項３５】
前記モデムコネクタは、前記単一の差動ペアのデータ／制御線および１本のアースラインを介して前記デジタルアイソレーションバリアに接続される、請求項３４に記載のモデムシステム。
【請求項３６】
前記モデムコネクタは、複数の差動ペアのデータ／制御線を介して前記デジタルアイソレーションバリアに接続される、請求項２６に記載のモデムシステム。
【請求項３７】
前記モデムコネクタは、前記複数の差動ペアのデータ／制御線および１本のアースラインを介して前記デジタルアイソレーションバリアに接続される、請求項３６に記載のモデムシステム。
【請求項３８】
前記モデムコネクタは、単一のデータ／制御線を介して前記デジタルアイソレーションバリアに接続される、請求項２６に記載のモデムシステム。
【請求項３９】
前記モデムコネクタは、前記単一のデータ／制御線および１本のアースラインを介して前記デジタルアイソレーションバリアに接続される、請求項３８に記載のモデムシステム。
【請求項４０】
モデムをホストに接続するためのモデムコネクタであって、前記モデムは、通信線と通
信するために回線側回路に結合されたデジタルアイソレーションバリア（ＤＩＢ）を含み、前記モデムコネクタは、
前記モデムおよび前記ホスト間でデータを通信するためのデータ線と、
前記モデムおよび前記ホスト間で前記データの時間を計るためのクロック線と、
前記ホストから前記モデムへ電力を供給するための電力線とを含み、
前記データ線、前記クロック線および前記電力線は、前記モデムコネクタを前記回線側回路から分離することができる前記デジタルアイソレーションバリアに接続することができる、モデムコネクタ。
【請求項４１】
前記データ線は送信経路および受信経路を含む、請求項４０に記載のモデムコネクタ。
【請求項４２】
前記データ線は双方向経路である、請求項４０に記載のモデムコネクタ。
【請求項４３】
前記ホストは、ホスト側ＤＩＢインターフェイスを含み、前記モデムコネクタは前記線をホストＤＩＢインターフェイスに与える、請求項４０に記載のモデムコネクタ。
【請求項４４】
前記線を含む４本のワイヤケーブルをさらに含む、請求項４０に記載のモデムコネクタ。
【請求項４５】
アースラインをさらに含む、請求項４０に記載のモデムコネクタ。
【請求項４６】
モデムをホストに接続するためのモデムコネクタであって、前記モデムは、通信線と通信するために回線側回路に結合されたデジタルアイソレーションバリア（ＤＩＢ）を含み、前記モデムコネクタは、
前記モデムおよび前記ホスト間でデータを通信するためのデータ線と、
前記モデムおよび前記ホスト間で前記データの時間を計るためのクロック線と、
前記ホストから前記モデムへ電力を供給するための電力線とから成り、
前記データ線、前記クロック線および前記電力線は、前記モデムコネクタを前記回線側回路から分離することができる前記デジタルアイソレーションバリアに接続することができる、モデムコネクタ。
【請求項４７】
前記データ線は送信経路および受信経路を含む、請求項４６に記載のモデムコネクタ。
【請求項４８】
前記データ線は双方向経路である、請求項４６に記載のコネクタ。
【請求項４９】
前記ホストはホストＤＩＢインターフェイスを含み、前記モデムコネクタは、前記線をホスト側ＤＩＢインターフェイスに与える、請求項４６に記載のモデムコネクタ。
【請求項５０】
モデムと通信するためのホストコネクタであって、前記モデムは通信線と通信するために回線側回路に結合されたデジタルアイソレーションバリア（ＤＩＢ）を含み、前記ホストコネクタは、
前記モデムおよび前記ホスト間でデータを通信するためのデータ線と、
前記モデムおよび前記ホスト間で前記データの時間を計るためのクロック線と、
前記ホストから前記モデムへ電力を供給するための電力線とを含み、
前記データ線、前記クロック線および前記電力線は、前記ホストコネクタを前記回線側回路から分離することができる前記デジタルアイソレーションバリアに接続することができる、ホストコネクタ。
【請求項５１】
前記データ線は、送信経路および受信経路を含む、請求項５０に記載のホストコネクタ。
【請求項５２】
前記データ線は双方向経路である。請求項５０に記載のモデムコネクタ。
【請求項５３】
前記ホストはホスト側ＤＩＢインターフェイスを含み、前記ホストコネクタは前記線をホストＤＩＢインターフェイスに与える、請求項５０に記載のホストコネクタ。
【請求項５４】
アースラインをさらに含む、請求項５０に記載のモデムコネクタ。
【請求項５５】
通信線上で通信することができる通信システムであって、前記通信システムは、
前記通信線に接続することができる回線側回路、前記回線側回路に結合されたデジタルアイソレーションバリア（ＤＩＢ）、および前記デジタルアイソレーションバリアに結合されたモデムコネクタを含むモデムと、
前記モデムコネクタを受けるモデムコネクタ、前記モデムコネクタに結合されたホスト側ＤＩＢインターフェイス、および前記ホスト側ＤＩＢインターフェイスに結合されたホストプロセッサを含むホストとを含み、
前記ホストプロセッサは前記モデムを制御する、通信システム。
【請求項５６】
前記回線側回路は、前記デジタルアイソレーションバリアと通信するための回線側ＤＩＢインターフェイスを含む、請求項５５に記載の通信システム。
【請求項５７】
前記デジタルアイソレーションバリアは、２本のデータ／制御線および２本の電力／クロック線を含む複数の線を介して前記回線側回路に結合される、請求項５５に記載の通信システム。
【請求項５８】
前記複数の線はアースラインを含む、請求項５７に記載の通信システム。
【請求項５９】
前記モデムコネクタは、２本のデータ／制御線および２本の電力／クロック線を含む複数の線を介して前記デジタルアイソレーションバリアに接続される、請求項５５に記載の通信システム。
【請求項６０】
前記複数の線はアースラインを含む、請求項５９に記載の通信システム。
【請求項６１】
前記モデムコネクタは、単一の差動ペアのデータ／制御線を介して前記デジタルアイソレーションバリアに接続される、請求項５５に記載の通信システム。
【請求項６２】
前記モデムコネクタは、前記単一の差動ペアのデータ／制御線および１本のアースラインを介して前記デジタルアイソレーションバリアに接続される、請求項６１に記載の通信システム。
【請求項６３】
前記モデムコネクタは、複数の差動ペアのデータ／制御線を介して前記デジタルアイソレーションバリアに接続される、請求項５５に記載の通信システム。
【請求項６４】
前記モデムコネクタは、前記複数の差動ペアのデータ／制御線および１本のアースラインを介して前記デジタルアイソレーションバリアに接続される、請求項６３に記載の通信システム。
【請求項６５】
前記モデムコネクタは、単一のデータ／制御線を介して前記デジタルアイソレーションバリアに接続される、請求項５５に記載の通信システム。
【請求項６６】
前記モデムコネクタは、前記単一のデータ／制御線および１本のアースラインを介して
前記デジタルアイソレーションバリアに接続される、請求項６５に記載の通信システム。
【請求項６７】
通信線上で通信することができる通信システムであって、前記通信システムは、
前記通信線に接続することができる回線側回路、前記回線側回路に結合されたデジタルアイソレーションバリア（ＤＩＢ）、および前記デジタルアイソレーションバリアに結合されたモデムコネクタを含むモデムと、
通信カードを含むホストとを含み、前記通信カードは、前記モデムコネクタを受けるためのモデムコネクタ、および前記モデムコネクタに結合されたホスト側ＤＩＢインターフェイスを有する、通信システム。
【請求項６８】
前記通信カードはＰＣＩカードである、請求項６７に記載の通信システム。
【請求項６９】
前記通信カードはＡＭＲカードである、請求項６７に記載の通信システム。
【請求項７０】
前記通信カードはＡＣＲカードである、請求項６７に記載の通信システム。
【請求項７１】
前記通信カードは、コントローラ、ＤＳＰおよびメモリを含み、前記コントローラは前記モデムおよびＤＳＰを制御し、前記メモリは前記コントローラによって実行されるためのソフトウェアを含む、請求項６７に記載の通信システム。
【請求項７２】
前記通信カードはＤＳＰを含み、前記ホストは前記モデムおよび前記ＤＳＰを制御するためのプロセッサを含む、請求項６７に記載の通信システム。
【請求項７３】
前記ホストは、前記モデムを制御しかつＤＳＰとして機能するためのプロセッサを含む、請求項６７に記載の通信システム。
【請求項７４】
前記回線側回路は、前記デジタルアイソレーションバリアと通信するための回線側ＤＩＢインターフェイスを含む、請求項６７に記載の通信システム。
【請求項７５】
前記デジタルアイソレーションバリアは、２本のデータ／制御線および２本の電力／クロック線を含む複数の線を介して前記回線側回路に結合される、請求項６７に記載の通信システム。
【請求項７６】
前記複数の線はアースラインを含む、請求項７５に記載の通信システム。
【請求項７７】
前記モデムコネクタは、２本のデータ／制御線および２本の電力／クロック線を含む複数の線を介して前記デジタルアイソレーションバリアに接続される、請求項６７に記載の通信システム。
【請求項７８】
前記複数の線はアースラインを含む、請求項７７に記載の通信システム。
【請求項７９】
前記モデムコネクタは、単一の差動ペアのデータ／制御線を介して前記デジタルアイソレーションバリアに接続される、請求項６７に記載の通信システム。
【請求項８０】
前記モデムコネクタは、単一の差動ペアのデータ／制御線および１本のアースラインを介して前記デジタルアイソレーションバリアに接続される、請求項７９に記載の通信システム。
【請求項８１】
前記モデムコネクタは、複数の差動ペアのデータ／制御線を介して前記デジタルアイソレーションバリアに接続される、請求項６７に記載の通信システム。
【請求項８２】
前記モデムコネクタは、前記複数の差動ペアのデータ／制御線および１本のアースラインを介して前記デジタルアイソレーションバリアに接続される、請求項８１に記載の通信システム。
【請求項８３】
前記モデムコネクタは、単一のデータ／制御線を介して前記デジタルアイソレーションバリアに接続される、請求項６７に記載の通信システム。
【請求項８４】
前記モデムコネクタは、前記単一のデータ／制御線および１本のアースラインを介して前記デジタルアイソレーションバリアに接続される、請求項８３に記載の通信システム。
【請求項８５】
前記通信カードはコンボカードである、請求項６７に記載の通信システム。
【請求項８６】
前記通信カードはイーサネット（登録商標）カードである、請求項６７に記載の通信システム。
【請求項８７】
前記通信カードはオーディオカードである、請求項６７に記載の通信システム。
【請求項８８】
ホストをモデムに接続することができる通信カードであって、前記通信カードは、
カードモデムコネクタと、
前記ホストに接続することかできるカードホストコネクタとを含み、
前記モデムは、通信線に接続することができる回線側回路、前記回線側回路に結合されたデジタルアイソレーションバリア（ＤＩＢ）、および前記デジタルアイソレーションバリアに結合されたモデムコネクタを含み、前記カードモデムコネクタは前記モデムコネクタに接続することができる、通信カード。
【請求項８９】
前記通信カードはコンボカードである、請求項８８に記載の通信カード。
【請求項９０】
前記通信カードはイーサネット（登録商標）カードである、請求項８８に記載の通信カード。
【請求項９１】
前記通信カードはオーディオカードである、請求項８８に記載の通信カード。
【請求項９２】
前記通信カードはＰＣＩカードである、請求項８８に記載の通信カード。
【請求項９３】
前記通信カードはＰＣＩカードである、請求項８８に記載の通信カード。
【請求項９４】
前記通信カードはＡＭＲカードである、請求項８８に記載の通信カード。
【請求項９５】
前記通信カードはＡＣＲカードである、請求項８８に記載の通信カード。
【請求項９６】
前記通信カードは、コントローラ、ＤＳＰおよびメモリを含み、前記コントローラは前記モデムおよびＤＳＰを制御し、前記メモリは前記コントローラによって実行されるためのソフトウェアを含む、請求項８８に記載の通信カード。
【請求項９７】
前記通信カードはＤＳＰを含み、前記ホストは前記モデムおよび前記ＤＳＰを制御するためのプロセッサを含む、請求項８８に記載の通信カード。
【請求項９８】
前記ホストは前記モデムを制御しかつＤＳＰとして機能するためのプロセッサを含む、請求項８８に記載の通信カード。
【請求項９９】
前記回線側回路は、前記デジタルアイソレーションバリアと通信するための回線側ＤＩＢインターフェイスを含む、請求項８８に記載の通信カード。
【請求項１００】
前記デジタルアイソレーションバリアは、２本のデータ／制御線および２本の電力／クロック線を含む複数の線を介して前記回線側回路に結合される、請求項８８に記載の通信カード。
【請求項１０１】
前記複数の線はアースラインを含む、請求項１００に記載の通信カード。
【請求項１０２】
前記モデムコネクタは、２本のデータ／制御線および２本の電力／クロック線を含む複数の線を介して前記デジタルアイソレーションバリアに接続される、請求項８８に記載の通信カード。
【請求項１０３】
前記複数の線はアースラインを含む、請求項１０２に記載の通信カード。
【請求項１０４】
前記モデムコネクタは、単一の差動ペアのデータ／制御線を介して前記デジタルアイソレーションバリアに接続される、請求項８８に記載の通信カード。
【請求項１０５】
前記モデムコネクタは、前記単一の差動ペアのデータ／制御線および１本のアースラインを介して前記デジタルアイソレーションバリアに接続される、請求項１０４に記載の通信システム。
【請求項１０６】
前記モデムコネクタは、複数の差動ペアのデータ／制御線を介して前記デジタルアイソレーションバリアに接続される、請求項８８に記載の通信システム。
【請求項１０７】
前記モデムコネクタは、前記複数の差動ペアのデータ／制御線および１本のアースラインを介して前記デジタルアイソレーションバリアに接続される、請求項１０６に記載の通信システム。
【請求項１０８】
前記モデムコネクタは、単一のデータ／制御線を介して前記デジタルアイソレーションバリアに接続される、請求項８８に記載の通信カード。
【請求項１０９】
前記モデムコネクタは、前記単一のデータ／制御線および１本のアースラインを介して前記デジタルアイソレーションバリアに接続される、請求項１０８に記載の通信システム。
【請求項１１０】
ホスト側ＤＩＢインターフェイスをさらに含み、前記カードコネクタは、前記ホスト側ＤＩＢインターフェイスに接続される、請求項８８に記載の通信カード。
【請求項１１１】
前記ホストは、ホストコネクタに結合されたホスト側ＤＩＢインターフェイスを含み、前記カードホストコネクタは前記ホストコネクタに接続される、請求項８８に記載の通信カード。
【請求項１１２】
前記ホストは、端子、コンピュータ、ゲームコンソールまたはセットトップボックスである、請求項８８に記載の通信カード。
【請求項１１３】
前記通信線は、電話回線、ケーブル線、または電力線である、請求項８８に記載の通信カード。
【請求項１１４】
前記モデムは、アナログモデム、ＤＳＬモデム、ケーブルモデム、またはＩＳＤＮ端子アダプタである、請求項８８に記載の通信カード。
【請求項１１５】
モデムをホストに接続するためのモデムコネクタであって、前記モデムコネクタは、
前記モデムおよび前記ホスト間でデータを通信するためのデータ線を含み、
前記モデムは、前記通信線とインターフェイスすることができる回線側回路、前記回線側回路に結合されたデジタルアイソレーションバリア（ＤＩＢ）を含み、前記デジタルアイソレーションバリアは、前記ホストコネクタに接続するために前記モデムコネクタに接続することができ、前記デジタルアイソレーションバリアは、前記モデムコネクタを前記回線側回路から分離することができる、モデムコネクタ。
【請求項１１６】
前記データ線は送信経路および受信経路を含む、請求項１１５に記載のモデムコネクタ。
【請求項１１７】
前記データ線は双方向経路である、請求項１１５に記載のモデムコネクタ。
【請求項１１８】
前記ホストはホスト側ＤＩＢインターフェイスを含み、前記モデムコネクタは前記線をホストＤＩＢインターフェイスに与える、請求項１１５に記載のモデムコネクタ。
【請求項１１９】
前記データ線を含むケーブルをさらに含む、請求項１１５に記載のモデムコネクタ。
【請求項１２０】
アースラインをさらに含む、請求項１１５に記載のモデムコネクタ。
【請求項１２１】
モデムをホストに接続するためのホストコネクタであって、前記ホストコネクタは、
前記モデムおよび前記ホスト間でデータを通信するためのデータ線を含み、
前記モデムは、前記通信線とインターフェイスすることができる回線側回路、前記回線側回路に結合されたデジタルアイソレーションバリア（ＤＩＢ）を含み、前記デジタルアイソレーションバリアは、前記ホストに接続するために前記ホストコネクタに接続することができ、前記デジタルアイソレーションバリアは、前記ホストコネクタを前記回線側回路から分離することができる、ホストコネクタ。
【請求項１２２】
前記データ線は送信経路および受信経路を含む、請求項１２１に記載のホストコネクタ。
【請求項１２３】
前記データ線は双方向経路である、請求項１２１に記載のホストコネクタ。
【請求項１２４】
前記ホストはホスト側ＤＩＢインターフェイスを含み、前記ホストコネクタは前記線をホストＤＩＢインターフェイスに与える、請求項１２１に記載のホストコネクタ。
【請求項１２５】
前記データ線を含むケーブルをさらに含む、請求項１２１に記載のホストコネクタ。
【請求項１２６】
アースラインをさらに含む、請求項１２１に記載のホストコネクタ。
【発明の詳細な説明】
【技術分野】
【０００１】
引用による援用
２００２年２月２６日発行の、同一出願人に譲渡された米国特許第６，３５１，５３０号は、図面および別掲の特許請求の範囲を含むその全体が、これにより引用により本願に援用され、これによりあらゆる目的のために本願の一部をなす。
【背景技術】
【０００２】
発明の背景
１  発明の分野
本発明は一般的にモデムに関し、より特定的に、モデムおよびホスト間のデジタル通信バスとしてのデジタルアイソレーションバリアの使用に関する。
【０００３】
２  関連技術
他のコンピュータ関連の技術分野のように、モデム技術は急速に変化、進歩しており、およそ２０年くらい前から大きな発展を遂げている。モデム（または変調器／復調器）は、デジタルパルスを可聴周波数に変換することによっておよびその逆によって、端末またはコンピュータ等のホストをアナログ電話回線等の通信媒体に適合させる装置である。モデムという用語はまた、本発明の目的のためのケーブルもしくはＤＳＬモデムまたはＩＳＤＮ端子装置アダプタのことをいい、これらを含む。また、本発明の目的のために、ホストは、コンピュータ、セットトップボックス、ゲームコンソール、または通信媒体を介して通信するモデムを利用する如何なる他の装置もしくはシステム等の如何なる情報処理システムも含む。
【０００４】
図１Ａでは、近年にわたるモデムの進化を見ることができる。示されるように、１つの従来の実施例において、モデム１００は、モデム側バスインターフェイス１０４を介して、デジタル書式で端末またはコンピュータ等のホスト１０１とデータ通信する。示されるように、ホスト１０１は、ホストバス／コネクタ１０３を含み、このホストバス／コネクタは、ホスト側バスインターフェイス１０２およびモデム側バスインターフェイス１０４を介してホスト１０１およびモデム１００の間に接続を与える。モデム１００はさらに、電話網１０８を介してアナログ書式で遠隔装置と通信することができる。電話網１０８は一般加入電話網（“ＰＳＴＮ”）の一部であり得る。なお、本願を通じて、「バス」および「コネクタ」という用語は交互に使われ得、いずれの用語も通信路を与えることができる何らかのタイプの導体またはチャネルのことをいう。
【０００５】
モデム１００は、コントローラベースのモデムとして知られる初期のモデム設計を示す。示されるように、モデム１００は、コントローラ１０５、デジタル信号プロセッサ（“ＤＳＰ”）１０６およびデータアクセス装置（“ＤＡＡ”）１０７を含む。このような設計において、コントローラ１０５は、すべてのモデム機能ならびにＤＳＰ１０６およびＤＡＡ１０７を含むモデム部品を制御する。コントローラ１０５はまた、モデム側バスインターフェイス１０４を制御する。コントローラは、ロックウェル（Rockwell）６５０２ベースのプロセッサ等の如何なるタイプのマイクロプロセッサとすることができる。コントローラ１０５は、モデムソフトウェアを記憶する、ＥＰＲＯＭ等のメモリ素子（図示せず）にある命令を実行する。メモリに記憶された命令に従って、コントローラ１０５は、ＤＳＰ１０６、ＤＡＡ１０７およびモデム側バスインターフェイス１０４を制御することができる。ＤＳＰ１０６は、モデム側バスインターフェイス１０４を介して受信された信号を変調し、かつ変調された信号を、デジタルからアナログへの変換および電話回線上での
送信のために、ＤＡＡ１０７に送信する。さらに、ＤＳＰ１０６は、ＤＡＡ１０７によるアナログからデジタルへの変換の後でＤＡＡ１０７から受信された信号を復調し、モデム側バスインターフェイス１０４を超えてホスト１０１へ送信するための復調された信号を与える。
【０００６】
ＤＡＡ１０７は、一般的に回路のことをいい、この回路は電話局から出ている電話回線とのインターフェイスを与える。ＤＡＡ１０７は、モデム１００の残りを電話回線から電気的に分離する。たとえば、ＤＡＡ１０７は、ガルヴァーニ電気の分離を与えて、モデム１００から生じるサージ電圧または過渡電圧が、電話網１０８に悪影響を及ぼすのを防ぐ。電気的分離は、電話回線およびモデム１００の間の動作電圧の差に関する潜在的な問題にも対処する。より特定的に、電話回線電圧は、所与のネットワークに亘って広く変化し得、モデム１００の動作電圧を越えることが多い。電気的分離に加えて、ＤＡＡ１０７は、モデム１００によって使用されるリング信号等のさまざまな信号を与えることが多い。
【０００７】
次世代のモデムとして、コントローラのないモデム１１０が導入され、このコントローラのないモデムは、ホスト１１１が電話網１１８上で通信するのを可能にするのに用いられる、モデム側バスインターフェイス１１４、ＤＳＰ１１６およびＤＡＡ１１７を含むが、コントローラは含まない。このような設計において、ホスト１１１にあるホストコントローラ（図示せず）は、ホスト側バスインターフェイス１１２を介してコントローラのないモデム１１０を制御し、このホスト側バスインターフェイスはホストバス１１３を介してモデム側バスインターフェイス１１４に接続され得る。ＤＳＰ１１６およびＤＡＡ１１７は、それぞれＤＳＰ１０６およびＤＡＡ１０７と同様の機能を果たす。
【０００８】
次により最近の世代のモデムを考えると、ソフトモデム１２０は、ホスト１２１が電話網１２８上で通信するのを可能にするのに用いられる、ＤＡＡ１２７を含むが、コントローラまたはＤＳＰは含まない。ソフトモデムの設計に従って、ホスト１２１にあるホストコントローラ（図示せず）は、ＤＳＰの機能性を与え、ホスト側バスインターフェイス１２２を介してソフトモデム１２０をさらに制御し、このホスト側バスインターフェイスはホストバス１２３を介してモデム側バスインターフェイス１２４に接続され得る。ＤＡＡ１２７は、ＤＡＡ１０７およびＤＡＡ１１７と同様の機能を果たす。
【０００９】
しかしながら、このような既存のモデム構成は、このようなモデムが、モデム等の加入者機器を電話網に接続するための各々の国における標準および規制を設定した世界中の監督庁による認証または承認のために提出されたときに、多くの欠点、非効率および過度の費用をもたらす。認証手順は、各国における電話標準および規制に準拠していることを確認して、電話網への損害を防ぎかつ同様に電話網に接続された他の機器への妨害を緩和することが意図されている。しかしながら、認証手順は、難しい設計上の課題をもたらすことが多く、これは長期に亘り、かつ申請者が負うべき過度の費用をもたらすおそれがある。たとえば、世界中の認証は、典型的に６ヶ月から１２ヶ月かかり、１０万ドルから２０万ドルの範囲の費用がかかる可能性がある。したがって、モデム認証は、各々の新しいモデム設計のためのモデム製造業者が我慢しなければならない、費用、遅れおよび技術的な負担の主な原因である。
【００１０】
次に図１Ｂを見ると、これはモデム通信のためのさまざまな従来のホストまたはコンピュータコネクタ／バスの進化のブロック図を示している。本来、デスクトップコンピュータは、ＲＳ−２３２シリアルバス（ＴＩＡ／ＥＩＡによる勧告基準）１３０等のシリアルインターフェイスを提供し、これは後にユニバーサルシリアルバス（“ＵＳＢ”）へと進化した。ＲＳ−２３２シリアルバス１３０は、２５ピンコネクタまたは９ピンコネクタを使用する。次に、業界標準アーキテクチャ（“ＩＳＡ”）バス１３１は、パーソナルコンピュータで一般的に用いられる拡張バスとしての機能するさまざまなフォームファクタで
導入された。ＩＳＡバス１３１は、モデム等の周辺装置を制御するプラグインボードを受入れることができる。後世代のパーソナルコンピュータバスとして、周辺部品相互接続バス（“ＰＣＩ”）１３２が、パーソナルコンピュータで一般的に用いられる周辺バスとして導入された。ＰＣＩバス１３２は、ホストプロセッサおよびモデム装置等の周辺装置の間で高速データ経路を与える。所与のマザーボードには典型的に３つか４つのＰＣＩスロットがある。
【００１１】
より最近のパーソナルコンピュータバスは、オーディオおよび／またはモデム回路を含むマザーボードにおいてプラグインカードを支持するオーディオ／モデムライザ（“ＡＭＲ”）バス１３３である。ＡＭＲバスは、カードおよびマザーボードの間でデジタルインターフェイスを与える４６個のピンのバスである。ＡＭＲバスは、３０個のピンのインターフェイスを有する通信およびネットワーキングライザ（“ＣＮＲ”）バスおよび１０６個のピンのインターフェイスを有するアドバンスドコミュニケーションライザ（“ＡＣＲ”）へと進化した。ＣＮＲおよびＡＣＲは、ＬＡＮ、ＤＳＬまたはイーサネット（登録商標）インターフェイス等の追加のサポートを与える。
【００１２】
同様のパーソナルコンピュータバスが、所有権を主張できるインターフェイスを有するＩＳＡバス１４０、パーソナルコンピュータメモリカードインターナショナルアソシエーション（“ＰＣＭＣＩＡ”）バス１４１、ＰＣＩバス１２２と同様のミニＰＣＩバス１４２、およびＡＭＲバス１３３と同様のモバイルドータカードバス（“ＭＤＤ”）１４３等のラップトップコンピュータのために導入されてきた。
【００１３】
しかしながら、モデム通信のための既存のパーソナルコンピュータバスは、非常に多くのコネクタピンを要する、非常に多くの場所をとる、およびピン配列および仕様が均一でない等の多くの問題を有している。結果として、多数のバス基準に準拠するために、（モデム側バスインターフェイス１０３，１１３および１２３等の）さまざまなモデム側バスインターフェイスが各々のモデム設計について与えられなければならない。したがって、さまざまなモデム側バスインターフェイスを有するモデムを設計、製造するために、過度の費用を負担しなければならず、長時間にわたる技術的な労力を費やされなければならない。
【００１４】
さらに、より近年において、ソフトモデムがモデム１００およびモデム１１０等の従来のハードウェアモデムにとって代わるようになるにつれて、結果としてシリコンＤＡＡが急速な成長を遂げている。上述のように、ＤＡＡは、電話回線インターフェイスとして用いられ、電話回線または如何なる他の同様の通信線に接続する如何なる装置においても必要とされている。従来、ＤＡＡは、変圧器、継電器、オプトアイソレータおよび個別部品の分類として、モデム１００等のアナログモデムにおいて実現されてきた。しかしながら、従来のＤＡＡに関わる高額な費用、電力消費および空間を減じるために、ＤＡＡがシリコンによる実現化のために設計されるようになったため、シリコンＤＡＡがもたらされることになった。初期において、シリコンＤＡＡは、アイソレーションバリアに亘るアナログ信号の転送に依存しており、依然として多くの個別部品を必要とした。しかしながら、最近では、シリコンＤＡＡソリューションは、統合コーデックを利用し、コンデンサに亘ってデジタル信号を送信して、費用、消費電力および空間が減じられている。たとえば、この特許出願に引用により援用された２００２年２月２６日発行の、同一出願人に譲渡された米国特許第６，３５１，５３０号の図１は、例示のシリコンＤＡＡ設計を示している。ＤＡＡは、一方端でシステム側回路に、他方端で回線側回路に結合されたデジタルアイソレーションバリアを含む。回線側回路は、デジタルアイソレーションバリアインターフェイスおよびコーデックを含み、電話回線に接続される。また、システム側回路は、デジタルアイソレーションバリアインターフェイスおよびホストインターフェイスを含み、コネクタを介してホストに接続される。
【００１５】
しかしながら、今日のシリコンＤＡＡソリューションは、依然としてホスト側部品およびＤＡＡを絶縁することができない。したがって、設計プロセスの際にＤＡＡ部品および他の部品の除去および移動を行なわなければならず、これは専門知識を必要とし、販売の遅れにつながる追加の費用および時間をもたらす。さらに、ＤＡＡを含む各々の新しい設計およびホスト側部品は共に安全要件および法的な認証規制に従って公式に検査されなければならない。したがって、所与のシリコンＤＡＡは、シリコンＤＡＡが設計されたシステムと共に認証プロセスを何度も行なわなければならず、これは上述のように、世界的な認証のために、約６ヶ月から９ヶ月の遅れおよび約１０万ドルから２０万ドルの費用をもたらす。
【発明の開示】
【００１６】
発明の概要
本明細書において広く説明されるような本発明の目的に従って、モデムシステム、モデム装置、モデムコネクタ、ホストコネクタ、通信システムおよび通信カード等のさまざまな例示の実施例が与えられる。
【００１７】
たとえば、本発明の一局面において、ホストが通信線上で通信するのを可能にするために用いられるモデムシステムが提供され、ホストはホストコネクタを有する。このモデムシステムは、通信線とインターフェイスすることができる回線側の回路、回線側回路に結合されたデジタルアイソレーションバリア（ＤＩＢ）、およびデジタルアイソレーションバリアに接続されかつデジタルアイソレーションバリアをホストコネクタに接続することができるモデムコネクタを含み、デジタルアイソレーションバリアは、モデムコネクタを回線側回路から分離する。
【００１８】
別の局面において、ホストが通信線上で通信するのを可能にするために用いられるモデム装置が提供され、ホストはホストコネクタを有する。このモデム装置は、通信線とインターフェイスすることができる回線側回路と、回線側回路に結合されたデジタルアイソレーションバリア（ＤＩＢ）とを含み、デジタルアイソレーションバリアは、ホストコネクタに接続するためにモデムコネクタに接続することができ、デジタルアイソレーションバリアは、モデムコネクタを回線側回路から分離することができる。
【００１９】
さらに別の局面において、ホストが通信線上で通信するのを可能にするために用いられるモデムシステムが提供され、ホストがホストコネクタを有する。このモデムシステムは、通信線を受けるための開口を有する通信線レシーバを含み、開口は複数の側壁を規定し、上記モデムシステムはさらに、通信線レシーバとインターフェイスすることができる回線側回路と、回線側回路に結合されたデジタルアイソレーションバリア（ＤＩＢ）とを含み、デジタルアイソレーションバリアはモデムコネクタに接続することができ、デジタルアイソレーションバリアは、モデムコネクタを回線側回路から分離し、モデムコネクタはホストコネクタに接続することができ、回線回路およびデジタルアイソレーションバリアは、複数の側壁のうちの１つ以上に装着される。
【００２０】
１局面において、通信線上で通信することのできる通信システムが提供される。この通信システムは、通信線に接続することのできる回線側回路を含むモデム、回線側回路に結合されたデジタルアイソレーションバリア（ＤＩＢ）、およびデジタルアイソレーションバリアに結合されたモデムコネクタ、およびモデムコネクタを受けるモデムコネクタを含むホスト、モデムコネクタに結合されたホスト側ＤＩＢインターフェイス、ならびにホスト側ＤＩＢインターフェイスに結合されたホストプロセッサを含み、ホストプロセッサはモデムを制御する。
【００２１】
別の局面において、通信線上で通信することのできる通信システムが提供される。この通信システムは、通信線に接続することのできる回線側回路を含むモデム、回線側回路に結合されたデジタルアイソレーションバリア（ＤＩＢ）、およびデジタルアイソレーションバリアに結合されたモデムコネクタ、ならびに通信カードを含むホストを含み、通信カードは、上記モデムコネクタを受けるためのモデムコネクタを有し、上記通信システムはさらに、モデムコネクタに結合されたホスト側ＤＩＢインターフェイスを含む。
【００２２】
本発明の追加の局面において、ホストをモデムに接続することができる通信カードが提供される。この通信カードは、カードモデムコネクタ、ホストに接続することのできるカードホストコネクタを含み、モデムは、通信線に接続することのできる回線側回路、回線側回路に結合されたデジタルアイソレーションバリア（ＣＩＢ）、およびデジタルアイソレーションバリアに結合されたモデムコネクタを含み、カードモデムコネクタは上記モデムコネクタに接続することができる。
【００２３】
もう１つの局面において、モデムをホストに接続するためのモデムコネクタが提供される。このモデムコネクタは、モデムおよびホスト間でデータを通信するためのデータ線を含み、モデムは、通信線とインターフェイスすることができる回線側回路、回線側回路に結合されたデジタルアイソレーションバリア（ＤＩＢ）を含み、デジタルアイソレーションバリアは、ホストコネクタに接続するためのモデムコネクタに接続することができ、デジタルアイソレーションバリアは、モデムコネクタを回線側回路から分離することができる。
【００２４】
さらに別の局面において、モデムをホストに接続するためのホストコネクタが提供される。このホストコネクタは、モデムおよびホスト間でデータを通信するためのデータ線を含み、モデムは、通信線とインターフェイスすることができる回線側回路、回線側回路に結合されたデジタルアイソレーションバリア（ＤＩＢ）を含み、デジタルアイソレーションバリアは、ホストに接続するためのホストコネクタに接続することができ、デジタルアイソレーションバリアは、ホストコネクタを回線側回路から分離することができる。
【００２５】
本発明のさまざまな局面において、回線側回路は、デジタルアイソレーションバリアと通信するための回線側ＤＩＢインターフェイスを含んでもよい。さらに、いくつかの局面において、モデムコネクタは、単一のデータ／制御線を介してデジタルアイソレーションバリアに接続してもよい。さらに、モデムコネクタは、単一のデータ／制御線および１本のアースラインを介してデジタルアイソレーションバリアに接続してもよい。
【００２６】
さらに、デジタルアイソレーションバリアは、２本のデータ／制御線および２本の電力／クロック線を含む複数の線を介して回線側回路に結合してもよく、この複数の線はアースラインを含んでもよい。しかしながら、モデムコネクタは、２本のデータ／制御線および２本の電力／クロック線を含む複数の線を介してデジタルアイソレーションバリアに接続してもよく、この複数の線はアースラインを含んでもよい。さらに、モデムコネクタは、単一の差動ペアのデータ／制御線を介してデジタルアイソレーションバリアに接続してもよい。さらに、モデムコネクタは、単一の差動ペアのデータ／制御線および１本のアースラインを介してデジタルアイソレーションバリアに接続してもよい。しかしながら、いくつかの局面において、モデムコネクタは、複数の差動ペアのデータ／制御線を介してデジタルアイソレーションバリアに接続してもよい。さらに、いくつかの局面において、モデムコネクタは、複数の差動ペアのデータ／制御線および１本のアースラインを介してデジタルアイソレーションバリアに接続してもよい。
【００２７】
本発明の１つの例示の局面において、モデムをホストに接続するためのモデムコネクタが提供され、このモデムは、通信線と通信するために回線側回路に結合されたデジタルア
イソレーションバリア（ＤＩＢ）を含む。このモデムコネクタは、モデムおよびホスト間でデータを通信するためのデータ線、モデムおよびホスト間でデータの時間を計るためのクロック線、およびホストからモデムへ電力を供給するための電力線を含み、データ線、クロック線および電力線は、デジタルアイソレーションバリアに接続することができ、このデジタルアイソレーションバリアは、モデムコネクタを回線側回路から分離することができる。さらに、データ線は送信経路および受信経路を含んでもよく、または双方向経路であってもよい。さらに、ホストはホスト側ＤＩＢインターフェイスを含んでもよく、モデムコネクタはホストＤＩＢインターフェイスへの線を与える。たとえば、モデムコネクタは、線を含む４本のワイヤケーブルをさらに含んでもよく、または１本のアースラインをさらに含んでもよい。
【００２８】
別の例示の局面において、モデムと通信するためのホストコネクタが提供され、このモデムは、通信線と通信するための回線側回路に結合されたデジタルアイソレーションバリア（ＤＩＢ）を含む。このホストコネクタは、モデムおよびホスト間でデータを通信するためのデータ線、モデムおよびホスト間でデータの時間を計るためのクロック線、およびホストからモデムへ電力を供給するための電力線を含み、データ線、クロック線および電力線は、デジタルアイソレーションバリアに接続することができ、このデジタルアイソレーションバリアは、ホストコネクタを回線側回路から分離することができる。さらに、データ線は、送信経路および受信経路を含んでもよく、または双方向経路であってもよい。１つの局面において、ホストはホスト側ＤＩＢインターフェイスを含んでもよく、ホストコネクタはホストＤＩＢインターフェイスへの線を与える。さらに、モデムコネクタはアースラインをさらに含んでもよい。
【００２９】
本発明のこれらのおよび他の局面は、以下に続く図面および明細書をさらに参照するとより明らかになるであろう。すべてのこのような追加のシステム、方法、特徴、および利点はこの説明内に含まれ、本発明の範囲内に含まれ、別掲の特許請求の範囲によって保護されることが意図される。
【００３０】
本発明の特徴および利点は、以下の詳細な説明および添付の図面を見直すと、当業者にとってより容易に明らかになるであろう。
【発明を実施するための最良の形態】
【００３１】
例示の実施例の説明
本発明は、機能的なブロック部品およびさまざまな処理ステップに関して記載され得る。このような機能的なブロックは、指定された機能を果たすように構成された任意の数のハードウェア部品および／またはソフトウェア部品によって実現され得る。たとえば、本発明は、さまざまな集積回路部品、たとえばメモリ要素、デジタル信号処理要素、送信機、受信機、トーン検出器、トーンジェネレータ、ロジック要素等を使用し得、これらは１つ以上のマイクロプロセッサまたは他のコントローラの制御下でさまざまな機能を果たし得る。さらに、本発明は、データ送信、信号伝達、信号処理および調整、トーン生成および検出等のための任意の数の従来の技術を用い得ることに注目すべきである。当業者にとって周知であり得るこのような一般的な技術は本明細書では詳細に説明されない。
【００３２】
本明細書に示され記載された特定の実現化例は、単に例示的なものであり、決して本発明の範囲を制限することは意図されていないことが認識されるべきである。たとえば、本発明はアナログモデムを用いて説明されているが、本発明は如何なる通信媒体ともインターフェイスする他の通信装置において実現してもよい。実際には、簡潔さのために、従来のアナログ回路、回路部品、データ送信、トーン生成および検出、符号化、復号、信号伝達、および信号処理、ならびにデータ通信システムの他の機能的な局面（および個々に動作するシステムの部品）は本明細書では詳細には記載されないかもしれない。さらに、本
明細書に含まれるさまざまな図面に示された接続線は、さまざまな要素間の例示の機能的な関係および／または物理的な結合を示すことが意図されている。なお、多くの代替のまたは追加の機能的な関係または物理的な接続が、実際的な通信システムにおいて存在するかもしれない。
【００３３】
図２は、ホスト２５０と、ホスト２５０が電話回線２０５上で通信するのを可能にするのに用いられるモデム２１０とを含む例示の通信システムのブロック図を示している。上述のように、本願の異なる実施例を説明するための通信媒体としてのホストまたは電話回線としてのコンピュータの使用は、単に例示的なものに過ぎない。実際に、本発明のさまざまな実施例は、コンピュータ、セットトップボックス、ゲームコンソール、または如何なる他の装置もしくはシステム等の如何なるホストによって使用されるために実現することができ、この他の装置またはシステムは、本発明のモデムを用いて、電話回線２０５、ケーブル線、電力線、またはモデム通信に好適な如何なる他の通信チャネル等の何らかの通信媒体を介して通信し得る。他の可能なホストは、警報システム、遠隔制御システム、監視システム、カメラ、常駐およびプロフェッショナルゲートウェイ、テレビ、ラジオ、表示パネル、ファクシミリ装置、応答装置、有線電話、コードレス電話、携帯電話、ブルートゥースおよびワイヤレスモデムプラグ、インターネット機器等とすることができる。
【００３４】
示されるように、モデム２１０は、回線側回路２１５およびモデムコネクタ２３０の中間で結合されたデジタルアイソレーションバリア（“ＤＩＢ”）２２０を含む。図３Ａと関連してより詳細に記載されるデジタルアイソレーションバリア２２０は、回線側回路２１５およびモデムコネクタ２３０の間で電力的な分離を与える。回線側回路２１５は、浮動の接地参照で動作して、電話２０５とともに動作する高圧入力および典型的なサージ要件に耐えることができる。しかしながら、モデムコネクタ２３０は、固定されたデジタル接地とともに動作し、標準のＣＭＯＳ論理レベルを利用する。示されるように、この実施例において、モデムコネクタ２３０は、４本のワイヤ２２１から２２４を介してデジタルアイソレーションバリア２２０に接続される。認識されるように、米国特許第６，３５１，５３０号の図１に記載された実施例とは異なり、たとえば、この実施例のモデム２１０は、デジタルアイソレーションバリア２２０およびモデムコネクタ２３０の間にデジタルアイソレーションバリアインターフェイスを含まない。すなわち、デジタルアイソレーションバリア２２０は、媒介としてのデジタルアイソレーションバリアインターフェイスなしでモデムコネクタ２３０に接続される。
【００３５】
なお、（１）回線側回路２１５およびデジタルアイソレーションバリア２２０、（２）デジタルアイソレーションバリア２２０およびモデムコネクタ２３０、または（３）モデムコネクタ２３０およびホスト２５０の間のワイヤの数は、実施例によって異なるかもしれず、本発明のさまざまな実施例は、たとえば１からｎの任意の数のワイヤを用いて実現してもよい。したがって、４本のワイヤの使用とは単に例示的なものに過ぎない。
【００３６】
示された実施例において、モデムコネクタ２３０は、ホストバス／コネクタ２４０のスロット２４１によって受けることができるコネクタピン２３１を含む。モデムコネクタ２３０およびホストバス２４０は、モデム２１０の線２２１から２２４およびホスト２５０の線２５１から２５４の間で１対１の接続性を与える。デジタルアイソレーションバリア２２０の４本の線２２１から２２４は、クロックおよび電力信号線２２１および２２２、ならびに、デジタルアイソレーションバリア２２０を超えた双方向のデータ転送、制御およびプログラミング信号を調整するデータおよび制御信号線２１８および２１９を含む。ホストバス２４０およびモデムコネクタ２３０を通して、モデム２１０はホスト２５０と共通の接地および電源を共有する。
【００３７】
図４と関連してより詳細に説明される回線側回路２１５は、回線側回路２１５をデジタ
ルアイソレーションバリア２２０とインターフェイスするためのモデム側ＤＩＢインターフェイス２１２を含む。示されるように、４本の線２１６から２１９は、デジタルアイソレーションバリア２２０および回線側回路２１５の間に接続性を与える。４本の線２１６から２１９は、上述した線２２１から２２４と１対１の対応をなす。
【００３８】
次に図５と関連してより詳細に説明されるホスト２５０に関して、これはホスト２５０をホストバス２４０およびモデムコネクタ２３０を通してデジタルアイソレーションバリア２２０とインターフェイスするためのホスト側ＤＩＢインターフェイス２６０を含む。示されるように、ホスト側ＤＩＢインターフェイス２６０は、デジタルアイソレーションバリア２２０の４本の線２２１から２２４に対応する４本の線２５１から２５４を介して、ホストバスまたはコネクタ２４０に接続される。ホスト２５０は、ホスト側モデム処理２７０をさらに含み、このホスト側モデム処理は、図１に記載されたモデム構成のうちのいずれかの１つとしてもよい。たとえば、一実施例において、ホスト側モデム処理２７０は、コントローラおよびＤＳＰを含み、かつコントローラベースのモデム１００として機能してもよい。しかしながら、別の実施例において、ホスト側モデム処理２７０は、ＤＳＰを含み、かつコントローラのないモデム１２０として機能するようにホストコントローラ（図示せず）によって制御されてもよい。いくつかの実施例において、ホスト側モデム処理２７０は存在しなくてもよく、この構成では、ホストコントローラ（図示せず）が、ソフトモデム１２０として機能するようにホスト側ＤＩＢインターフェイス２６０および他のモデムならびにＤＳＰ動作を制御する。上述のように、モデムコネクタ２３０またはホストバス／コネクタ２４０は、通信経路を与えることができる如何なるタイプの導体またはチャネルとすることができる。
【００３９】
モデム２１０の利点の１つとして、たとえば世界的な認証の費用および遅れが大幅に減じられる。というのも、一旦承認されると、モデム２１０は、（コントローラベースのモデム、コントローラのないモデム、またはソフトモデム等の）如何なる既存の構成に従ってまたは如何なるホストにおいて、再認証されるべきこのような構成またはホストを必要とせずに、利用することができるからである。さらに、モデム２１０は、既存のモデムと比較して非常に少数の部品を有する。モデム２１０は、通信線をホストに適合させるためのマクロコンポーネントを与えることができるため、電磁整合性／電磁妨害雑音（“ＥＭＣ／ＥＭＩ”）等の安全要件に関してモデム製造業者に必要とされる専門知識も減じられるであろう。より高速な認証プロセスの結果として、認証されるべき構成およびホストの数が減じられ、技術上の負担および専門知識、モデム２１０の製造業者が減じられることにより、かなりの費用を節約し、販売する時間を大幅に短縮することができる。
【００４０】
図３Ａは、本発明の一実施例に従った回線側回路３１５およびデジタルアイソレーションバリア３２０を含む例示のモデム３１０を示している。示されるように、デジタルアイソレーションバリア３２０は、一方側で４本の線３２１から３２４を介してモデムコネクタ３３０に接続され、他方側で４本の線３１６から３１９を介して回線側回路３１５に接続される。示した実施例において、デジタルアイソレーションバリア３２０は、クロックおよび電力信号をモデムコネクタ３３０から、線３２１から３２２および３１６から３１７を介して回線側回路３１５のモデム側ＤＩＢインターフェイス３１２に通信するための変圧器３２６を含む。より特定的に、変圧器３２６の第１の側、すなわち線３２１から３２２は、（ホストに接続されるときに）モデムコネクタ３３０によって駆動されて、十分な力のクロックおよび電力信号を変圧器３２６の第２の側、すなわち線３１６から３１７から導くことができるようにする。クロック信号が与えられる場合、それは比較的小さな値のコンデンサ（図示せず）を介して回線側回路３１５に結合される。回線側回路３１５の電力接続は、定電圧ダイオード（図示せず）および電荷蓄積コンデンサ（図示せず）を含む半波長整流器を介して変圧器３２６の第２の側に結合され得る。このコンデンサは、回線側回路３１５の電力および接地接続に亘って与えられて、安定した電力供給電圧を与
える。上述の実施例は半波長整流器を使用しているが、全波長整流器またはブリッジ整流器を用いることもできる。
【００４１】
デジタルアイソレーションバリア３２０はまた、２つのコンデンサ３２７および３２８を伴う差動構成を含む。この実施例において、データ、制御および／またはプログラミング信号を含むシリアルデータストリームは、２つのコンデンサ３２７および３２８によって与えられるデータ経路に亘って通信される。いくつかの実施例において、双方向の送受信経路を与える差動双方向線が、分離した受信データ経路および送信データ経路を用いて実現されてもよい。一実施例において、２つのコンデンサ３２７および３２８は、単一のコンデンサによってとって代わられてもよく、この場合シリアルデータストリームは単一のコンデンサ（図示せず）を用いて単一の経路に亘って通信される。さらに別の実施例において、デジタルアイソレーションバリア３２０は、コンデンサ３２７および３２８にとって代わる分離形変圧器（図示せず）を含んでもよい。結果として、データ、制御および／またはプログラミング信号は、回線側回路３１５およびモデムコネクタ３３０の間で通信し得る。当業者は、本発明に従って、（オプトカプラおよびサーマルリレー回路等の）他のタイプの回路を用いて、デジタルアイソレーションバリア３２０を生じてもよいことを理解するであろう。さらに、デジタルアイソレーションバリア３２０は、変圧器、コンデンサ、またはここに引用により援用される安全標準ＩＥＣ６０９５０、または他の同様の標準で規定されるような電話網電圧（“ＴＮＶ”）および安全超低圧（“ＳＥＬＶ”）間の分離の要件を満たすことができる如何なる他の部品を含んでもよい。
【００４２】
なお、いくつかの実施例において、４本の線３２１から３２４および３１６から３１９をそれぞれ単一の線３２４および３１９に減じてもよく、上述のように、単一のコンデンサが線３２４および３１９を含む単一の経路に亘ってシリアルデータストリームを与える。さらに、別の実施例において、４本の線３２１から３２４および３１６から３１９をそれぞれ二重線３２３から３２４および３１８から３１９に減じてもよく、上述のように、２つのコンデンサが線３２３から３２４および３１８から３１９を含む経路に亘ってシリアルデータストリームを与える。
【００４３】
図３Ｂは、本発明の一実施例に従った図３Ａのデジタルアイソレーションバリア３２０に亘って情報通信するための例示のフレームプロトコルの図である。デジタルアイソレーションバリア３２０は、コンデンサまたは変圧器等の装置から構成されるため、ＤＣ信号はデジタルアイソレーションバリア３２０に亘って送信することができず、通信はＡＣ信号を介して行なわれる。この実施例において、符号化スキームを用いて、データにおける長い一連の０または１を除去する。なお、さまざまなプロトコルまたは信号伝達技術を用いて、データを、デジタルアイソレーションバリア３２０を超えて回線側回路３１５または（モデムコネクタ３３０を介して）ホストに通信してもよく、以下に記載されたシリアルプロトコルは単に例示的なものに過ぎない。
【００４４】
シリアルプロトコルは、さまざまなデータ、回線側回路３１５の制御およびステータス信号からのデータを収容するのに十分な帯域幅を与える。さらに、（サージ電圧によるエラー等の）エラーは、エラー訂正技術によって対処され得ると考えられる。このようなエラーを検出する１つの方法は、送信される各々のデータパケットにつき分離した冗長なデータパケットを与えるというように、送信データに冗長性を含むことである。
【００４５】
例示のフレーム３５０は、複数の部品またはビット分類から構成される。特に、フレーム同期ビット３５２は、ホストおよび回線側回路３１５の間の通信を調整するために与えられる。一実施例において、フレーム同期ビット３５２はホストによって与えられる。フレーム同期ビット３５２に続いて、データ、制御および／またはプログラミングビット３５４が、ホストからモデムコネクタ２３０およびデジタルアイソレーションバリア３２０
を超えて回線側回路３１５に送信される。デジタルアイソレーションバリア３２０に亘る双方向シリアル通信が用いられるこの実施例において、複数の逆ビット３５６が与えられて、モデム側ＤＩＢインターフェイス４３０のトランシーバ回路４３５（図４を参照）およびホスト側ＤＩＢインターフェイス５３０のトランシーバ回路５３５（図５を参照）が方向を転換するのに十分な時間を与える。必要とされるビット数は、利用される特定のトランシーバ回路のスイッチング時間に依存する。特定の逆同期化パターンを用いてトランシーバ回路の逆転を開始し得る。
【００４６】
次に、データ、制御および／またはプログラミングビット３５８は、シリアルの態様でモデムコネクタ３３０を介して回線側回路３１５からホストへ通信される。使用されていないビット３６０がシリアルフレーム３５０に与えられて、他の機能および情報の追加のために（予め規定されたフレームサイズにおける）余分の帯域幅を与える。データ、制御および／またはプログラミングビット３５８は、ステータスの変更および／または同期化を伝達するのに用いられる割込み型の情報を含んでもよい。
【００４７】
一実施例において、符号化プロトコルは、半分のクロック速度でデジタルアイソレーションバリア３２０を超えてデータを送信するステップを含む。このようなスキームに従って、「０」は論理レベル低から論理レベル高への遷移として符号化され、一方で「１」は論理レベル高から論理レベル低への遷移として符号化される。たとえば、４ＭＨｚのクロックが回線側回路３１５に与えられる場合、クロック信号から生じる２ＭＨｚの信号がシリアル通信のためにビットクロックとして用いられ得る。この構成を用いて、２．０４８ＭＨｚ（１２８＝４．０９６ＭＨｚ／（２＊１６ｋＨｚ））のクロックを有する１６ｋＨｚのサンプル率の１周期の間に、１２８ビットがシリアルの形態において利用可能である。
【００４８】
次に図４に関して、これは本発明の一実施例に従った、回線側回路４１０およびデジタルアイソレーションバリア４５０を含む例示のモデム４１０を示している。示されるように、回線側回路４１０は、モデム側ＤＩＢインターフェイス４３０および電話回線回路４２０を含む。一実施例に従って、モデム側ＤＩＢインターフェイス４３０は、一方側で電話回線回路４２０に結合され、他方端でデジタルアイソレーションバリア４５０に接続される。一実施例において、モデム側ＤＩＢインターフェイス４３０は４本の線を介してデジタルアイソレーションバリア４５０に接続され、これらの線は電力／クロック４３４およびトランシーバ４３５によって受けられる。上述のように、モデム側インターフェイス４３０は、トランシーバ４３５によって受けることができる単一のワイヤまたは２本のワイヤを介してデジタルアイソレーションバリア４５０に接続してもよい。したがって、いくつかの実施例において、電力／クロック４３４はオプションである。モデム側ＤＩＢインターフェイス４３０は、トランシーバ４３５によって送信されるデータを編成するように機能するプロトコルフレーミング／制御回路４３６をさらに含む。プロトコルフレーミング／制御回路４３６はまた、トランシーバ４３５によって受信される、モデムコネクタ４６０を介したホストからの信号を分解する。
【００４９】
示されるように、モデム側ＤＩＢインターフェイス４３０はまた、コーデック（コーダ／デコーダ）４３１、ＤＡＣ（デジタル／アナログ変換器）４３２、ＡＤＣ（アナログ／デジタル変換器）４３３およびメモリ（図示せず）を含み、メモリはいくつかの実施例において、モデム側ＤＩＢインターフェイス４３０によって実行されるためのコードを記憶し得、またはさまざまな国の規制要件に関する電気的な仕様および構成を記憶し得る。一実施例において、コーデック４３１は、電話回線４０５上でアナログ信号をサンプリングするためにまたはこのような信号を電話回線４０５に与えるために用いられる１６ビット／１６ｋＨｚの秒オーダシグマ・デルタコーデックであってもよい。ＤＡＣ４３２は、トランシーバ４３５を介して受信されたデジタルデータを、コーデック４３１を介して電話
回線４０５へ送信するためにアナログデータに変換するために用いられる。さらに、ＡＤＣ４３３は、コーデック４３１を介して電話回線４０５から受信されたアナログデータを、トランシーバ４３５を介してモデムコネクタに送信するために変換するために用いられる。なお、いくつかの実施例において、ＤＡＣ４３２およびＡＤＣ４３３は、コーデック４３１の一部として動作し得、または回線側回路４１０の他の部品によって用いられるための分離した回路としてもよい。たとえば、ＤＡＣ４３２は、リング／ＬＰＲ検出回路４２３によって利用されてもよい。同様に、ＡＤＣ４３３は、測定回路４２６と共に動作してもよく、この測定回路はチップ／リング電圧測定およびループ電流測定を含み得る。
【００５０】
電話回線回路４２０は、モデム４００によって与えられた特徴の数に依存してさまざまな回路を含み得る。たとえば、電話回線回路４２０は、発信者番号通知４２１を含んでもよく、これは電話回線４０６からの発信者識別情報を受信しかつ復号化することができる。したがって、発信者番号通知４２１は、比較的単純なＡＤＣ、および１つ以上の標準（たとえばＶ．２３／Bell２０２，ＥＴＳＩ３００７７８シリーズ）に準拠した復調器を含み得る。発信者番号通知４２１はまた、低電力状態でデジタルアイソレーションバリア４５０に亘って発信者識別情報を転送することができ、発信者番号通知情報に警報信号としてのリングまたは線逆転極性を与えるようにプログラムすることができる。
【００５１】
電話回線回路４２０は、信号を電話回線４０５に与えるためのラインドライバ４２２をさらに含む。ラインドライバ４２２は、モデム４００が使用されている国によって規定された電気的特徴を有する信号を駆動するようにプログラム可能とし得る。電話回線回路４２０はまた、プログラム可能なライン／リングインピーダンス４２７を含んでもよく、これはモデム４００またはホストが、電話回線４０５によって見られるようなモデム４００の電気特徴をプログラムするのを可能にするために与えられて、国毎のリングローディングを含むさまざまな規制標準への準拠を容易にする。
【００５２】
さらに、プログラム可能測定回路４２６には、電話回線４０５上でチップ／リング電圧およびループ電流状態を測定するための調整可能なパラメータを与えてもよい。リング／線逆転極性（ＬＰＲ）検出４２３はまた、米国の要件および国際的な要件の双方に準拠するようにプログラムすることができる。リング／ＬＰＲ検出４２３は、リングおよびリングウェイクビット（ring wake bit）信号を与えるように機能する。さらに、リング／ＬＰＲ検出４２３は、リモートオンフック４２４および拡張オフフック４２５によって使用される線電流センシング情報を与えるように構成することができる。
【００５３】
本発明のいくつかの実施例において、モデム４００は予め定められた数の国において動作するように設計され、電話回線回路４２０は意図されない地域／国についてはプログラムすることができない。たとえば、本発明の一局面に従って、モデム４００は３つの規定された地域／国特定の構成において与えることができ、１つの構成において、モデム４００は北欧諸国のみにおいて動作可能であり、第２の構成において、モデム４００はヨーロッパの残りの地域、インドおよび日本のみで動作するように構成され得、第３の構成において、モデム４００は残りの国々で動作するように構成され得る。
【００５４】
図５は、本発明の一実施例に従ったホスト５１０の例示の実施例を示している。示されるように、ホスト５１０は、ホスト側ＤＩＢインターフェイス５３０およびホスト側モデム処理５２０を含む。一実施例に従って、ホスト側ＤＩＢインターフェイス５３０は一方側でホスト側モデム処理５２０に結合され、他方の端部でホストバス／コネクタ５６０に接続される。ホストバス５６０は、モデム側ＤＩＢインターフェイス４３０と通信するモデムコネクタ４６０に接続することができる。一実施例において、ホスト側ＤＩＢインターフェイス５３０は、電力／クロック５３４およびトランシーバ５３５によって受けられる４本の線を介してホストバス５６０に接続される。上述のように、ホスト側ＤＩＢイン
ターフェイス５３０は、トランシーバ５３５によって受けることができる単一のワイヤまたは２本のワイヤを介してホストバス５６０に接続されてもよい。したがって、いくつかの実施例において、電力／クロック４３４はオプションである。ホスト側ＤＩＢインターフェイス５３０は、トランシーバ５３５によって送信されたデータを編成する機能を果たすプロトコルフレーミング／制御回路５３６をさらに含む。プロトコルフレーミング／制御回路５３６はまた、トランシーバ５３５によって受信される、ホストバス５６０を介したモデムからの信号を分解する。
【００５５】
ホスト側モデム処理５２０は、ＤＳＰ５２１、コントローラ５２２、ソフトウェア５２３およびメモリ５２４を含み得る。たとえば、コントローラのないモデム１２０をサポートするために、ホスト側モデム処理５２０は、ＤＳＰ５２１、ソフトウェア５２３、およびＤＳＰ５２１によって使用されるメモリ５２４を含む。このような場合に、コンピュータマザーボードのインテルプロセッサ等のホストコントローラ（図示せず）は、コンピュータメモリにあるモデムコントローラソフトウェアを用いてコントローラの機能を与える。代わりに、ソフトモデム１２０として機能するために、ホスト側モデム処理５２０が除去されて、ホストコントローラ（図示せず）が、コンピュータメモリにあるモデムコントローラおよびＤＳＰソフトウェアを用いてコントローラおよびＤＳＰの機能を行なうようにすることができる。別の例として、コントローラベースのモデム１１０をサポートするために、ホスト側モデム処理５２０は、コントローラ５２２およびＤＳＰ５２１と、コントローラ５２２およびＤＳＰ５２１によって使用されるソフトウェア５２３およびメモリ５２４とを含む。このような場合、ソフトウェア５２３は、Ｖ．９２，Ｖ．９０，Ｖ．３４，Ｖ．３２等のさまざまなモデムＤＳＰ機能、変調技術、ならびにＶ．４２のエラー修正およびＶ．４２ビスのデータ圧縮等のモデムコントローラ機能をサポートする。
【００５６】
本発明の１つの例示の実施例において、モデム４００に電源を供給した後で、モデム４００は選択的なスリープまたはリッスンモードに入る。次に、モデム４００は、同期パケットがデジタルアイソレーションバリア４５０を介してホスト５１０から受信されたかどうかを判定する。そうであれば、モデム４００はスリープモードを終了し、そうでなければ回線側回路４１０は、割込みが電話回線４０５に接続された何らかの電話回線回路４２０によって起こされたものかどうかを判定する。割込みが受け入れられた場合、モデム４００はスリープモードを終了して、信号が次にホスト５１０に伝達されて同期を要求する。既存のモデムのスリープモードの後で、モデム４００はホスト４１０との同期が達成されたかどうかを判定する。達成されていなければ、タイムアウトカウンタを検査して、予め定められた量の時間が同期なしで終了したかどうかを判定する。予め定められた量の時間が終了していなければ、上述した同期化プロセスが継続される。タイムアウト値に達していれば、または割込みが受け入れられていなければ、モデム４００は選択的なスリープまたはリッスンモードに入り得る。
【００５７】
同様に、ホスト５１０に電源を供給した後で、ホスト５１０はウエイクアップモードまたは再同期モードに入る。次に、トランシーバ５３５は、モデムコネクタ４６０を超えてモデム４００に同期パケットを送信する。ホスト５１０は次に、同期化が達成されたことを示すモデム４００からの信号を待つ。同期化が達成されなければ、カウンタを検査して、予め定められたタイムアウト値に到達したかどうかを判定する。タイムアウト値を超えていれば、追加の同期パケットが送信され得る。同期化が達成されれば、シリアルデータ、制御および／またはプログラミング信号が、トランシーバ４３５および５３５によって送信または受信される。シリアル通信が完了した後で、選択的な低電力モードに入り、ホスト５１０はスリープモードに入り、モデム４００からのウエイクアップ信号またはサービス要求を待つ。
【００５８】
なお、いくつかの実施例において、たとえばモデム４００がゲームコンソールまたはセ
ットトップボックスにおいて利用されときに、ホスト５１０、モデム４００および／またはホスト５１０はスリープモードを含まないかも知れないため、電源を供給した後でもアクティブモードのままである。さらに、当業者は、電源を供給した後で同期モデム４００およびホスト５１０の間の接続を達成するまたはこれらを同期化するためのさまざまな方法があることを認識するであろう。
【００５９】
図６は、ＰＣＩカード、ＡＭＲカード、ＣＮＲカード、ＡＣＲカード等の通信カードに接続するための本発明の例示のモデムのブロック図である。示されるように、モデム６００はＰＣブラケット６０１に取付けられ、このＰＣブラケットは周辺部品をパーソナルコンピュータに追加するのに用いられる典型的なスクウェアブラケットである。ＰＣブラケット６０１は、電話回線（図示せず）を受けるために、モデム６００のＲＪ−１１ジャック６０２をパーソナルコンピュータの外側にさらす。モデム６００はまた、図４の回線側回路４１０と同様の回線側回路６０４、および図３Ａのデジタルアイソレーションバリア３２０と同様のデジタルアイソレーションバリア６０６を含む。回線側回路６０４は、ＲＪ−１１ジャック６０２を介して電話回線と通信し、デジタルアイソレーションバリア６０６は回線側回路６０４をモデムコネクタ６０７から分離する。示されるように、各々の端部にケーブルコネクタ６１１および６１２を有するモデムケーブル６１０は、ＰＣＩカード６２０およびモデム６００の間に接続性を与える。一実施例において、モデムケーブル６１０は、制御／データ信号のための２つのワイヤ経路、および、電力／クロック信号のための２つのワイヤ経路を与える。上述のように、本発明のさまざまな実施例において、モデムケーブル６１０は、１本のワイヤ、２本のワイヤ、３本のワイヤ、またはｎ本のワイヤケーブルであってもよい。たとえば、２本のワイヤモデムケーブルにおいて、２本のワイヤはデータ／制御のための経路を与える。他の実施例において、さらに他のワイヤを追加して、接地信号等の追加の信号を与えてもよい。
【００６０】
示されるように、ＰＣＩカード６２０はＰＣコネクタ６２２を含み、このＰＣコネクタは、ケーブルコネクタ６１２を受け、モデム６００のデジタルアイソレーションバリア６０６を、図５のホスト側ＤＩＢインターフェイス５３０と同様のホスト側ＤＩＢインターフェイス６２４に接続する。ＰＣＩカード６２０はまた、パーソナルコンピュータのＰＣＩバススロット（図示せず）のうちの１つに差込むことができるＰＣＩバスコネクタ６２０を含む。なお、ＰＣＩカード６２０は、コントローラ、ＤＳＰ、およびコントローラベースのモデムを与えるソフトウェアを有するメモリを含んでもよく、もしくはＤＳＰおよびパーソナルコンピュータにおけるホストプロセッサによって制御されるコントローラのないモデムを与えるソフトウェアを有するメモリを含んでもよく、または単にホスト側ＤＩＢインターフェイス６２４からのワイヤをＰＣＩバスコネクタ６２６に経路付けて、ホストプロセッサおよびモデム６００の間に接続を与えてもよい。
【００６１】
図７は、コンピュータマザーボードに接続するための本発明の例示のモデム７００のブロック図を示している。ＲＪ−１１ジャック７０２を含むモデム７００、回線側回路７０４およびデジタルアイソレーションバリア７０６は、図６のＲＪ−１１ジャック６０２を含むモデム６００、回線側回路６０４およびデジタルアイソレーションバリア６０６にそれぞれ対応する。示されるように、モデム７００は、図６のＰＣブラケット６０１に対応するＰＣブラケット７０１に取付けられてもよい。モデム７００は、ＰＣマザーボード７２０のＰＣＤＩＢバス７２２に差込むことができるモデムコネクタ７１２をさらに含む。示されていないが、ＰＣマザーボード７２０は、ホスト側ＤＩＢインターフェイス６２４と同様のホスト側ＤＩＢインターフェイスを含み、これはＰＣＤＩＢバス７２２およびＰＣまたはホストプロセッサ（図示せず）の間にインターフェイスを与える。したがって、ホスト側ＤＩＢインターフェイス、ＰＣＤＩＢバス７２２およびモデムコネクタ７０７を介して、ホストプロセッサおよびモデム７００のデジタルアイソレーションバリア７０６の間に通信経路が設けられる。
【００６２】
上述のように、モデムケーブル７１０は、（この実施例のように）１本のワイヤ、２本のワイヤ、３本のワイヤ、４本のワイヤケーブルであってもよく、またはモデム７００およびＰＣＤＩＢバス７２２の間により多くの信号を与えるために追加のワイヤを与えてもよい。したがって、ＰＣＤＩＢバスのサイズは変わり得る。図７の例示の実施例において、ＰＣＤＩＢバス７２２は、データ／制御のための２本のワイヤ、および、電力／クロックのための２本のワイヤを受ける４つのコネクタを含んでもよい。ＰＣＤＩＢバス７２２は、接地信号のための追加のワイヤを含んでもよい。しかしながら、いくつかの実施例において、ＰＣＤＩＢバス７２２は、データ／制御を受信するための１つまたは２つのコネクタのみを含んでもよい。
【００６３】
図８Ａは、本発明の例示のモデム８００の完全な正面図を示しており、モデム部品８１０は、ＲＪ−１１ジャック等の電話回線ジャック８０３に装着される。示されるように、モデム８００は、電話回線を受ける開口を有する電話回線レシーバ８０５を有する電話回線ジャック８０３を含む。開口は、電話回線ジャック８０３における壁の数を規定する。示されるように、モデム部品８１０は１つ以上の壁に装着され得る。一実施例において、モデム部品は回線側回路を含み、この回線側回路は回線側回路７０４と同様であり、電話回線に接続するために電話回線レシーバ８０５に結合されている。さらに、モデム８００は、回線側回路および電話回線を、ホストに接続することができるモデムコネクタ７０７等のモデムコネクタから分離するための、デジタルアイソレーションバリア７０６と同様のデジタルアイソレーションバリアを含む。
【００６４】
図８Ｂは本発明の例示のモデム８２０の上面図を示しており、モデム部品は電話回線ジャック８２２の上部壁に装着されている。示されるように、モデム部品は、２つのコンデンサ８３２および８３４、ならびに変圧器８３６を含むデジタルアイソレーションバリア８３０を含む。デジタルアイソレーションバリア８３０は、一方端でモデムコネクタ８２５に接続され、他方端で回線側回路８４０に接続される。さらに、回線側回路８４０は、線８５０を介して電話回線ジャック８２２の電話回線レシーバに接続される。図８Ａの実施例等のいくつかの実施例において、モデム部品のいくつかは、電話回線ジャック８２２の側壁または底部壁に装着されてもよい。さらに、デジタルアイソレーションバリア８３０は、図３Ａと関連して上述されたように、より少ない部品を含んでもよい。
【００６５】
図９は、ＬＡＮカード、オーディオカード、ブルートゥースカード、イーサネット（登録商標）カード等のコンボカード９２０に接続するための本発明の例示のモデムのブロック図を示している。示されるように、モデム９００は、ＰＣブラケット９０１に取付けられたコンボカード９２０に取付けられるまたは差込まれ得る。ＰＣブラケット９０１は、パーソナルコンピュータに周辺機器を追加するのに用いられる典型的なスクエアブラケットであり、示されるように、通信線（図示せず）を受けるために、ＲＪ−１１ジャック等のモデム通信ジャック９０２およびＲＪ−４５ジャック等のコンボ通信ジャック９２２を、パーソナルコンピュータの外部にさらすことができる。モデム９００はまた、回線側回路９０４およびデジタルアイソレーションバリア９０６を含む。回線側回路９０４は、モデム通信ジャック９０２を介して通信線と通信して置くことができ、デジタルアイソレーションバリア９０６は、回線側回路９０４をモデムコネクタ９０８から分離する。示されるように、モデムコネクタ９０８は、コンボカードコネクタ９０９に接続されるかまたは差込まれ得、これはコンボカード９２０およびモデム９００の間で接続性を与える。示されるように、回線側回路９０５およびデジタルアイソレーションバリア９０６は、線９０５を通して通信する。同様に、デジタルアイソレーションバリア９０６は、線９０７ならびにコネクタ９０８および９０９を介してコンボカード９２０と通信する。上述のように、線９０５および９０７は、任意の数のワイヤ、たとえば１からｎ本のワイヤを含んでもよい。
【００６６】
一実施例において、コンボカード９２０は、デジタルアイソレーションバリア９０６と通信するためのホスト側ＤＩＢインターフェイス（図示せず）を含んでもよい。しかしながら、他の実施例において、コンボカード９２０は、コネクタ９０８および９０９を介して受けられた線９０７を、コンボカードコネクタバス９２４に経路付けてもよい。このような実施例において、パーソナルコンピュータは、コンボカード９２０ではなくホスト側ＤＩＢインターフェイス（図示せず）を含むであろう。
【００６７】
先に示した方法およびシステムは、装置上のソフトウェア、ハードウェア、および／またはファームウェアに存在し得、これらはマイクロプロセッサ、デジタル信号プロセッサ、特定用途向けＩＣもしくはフィールドプログラマブルゲートアレイ（“ＦＰＧＡ”）またはそのいかなる組合せで、本発明の精神から逸脱することなく実現することができる。さらに、本発明は、その精神または本質的な特徴から逸脱することなく、他の特定の形態で実施されてもよい。記載された実施例は、すべての点において例示的なものであるに過ぎず限定的なものではないとして考えられるべきである。
【図面の簡単な説明】
【００６８】
【図１Ａ】さまざまな従来のモデムの進化のブロック図である。
【図１Ｂ】モデム通信のためのさまざまな従来のホストコネクタ／バスの進化のブロック図である。
【図２】本発明の一実施例に従った、ホストと、回線側回路、デジタルアイソレーションバリアおよびモデムコネクタを有するモデムとを含む通信システムのブロック図である。
【図３Ａ】図２の通信システムのデジタルアイソレーションバリアのブロック図である。
【図３Ｂ】本発明の一実施例に従った、図３Ａのデジタルアイソレーションバリアを超えて情報通信するための例示のフレームプロトコルの図である。
【図４】図２の通信システムの回線側回路のブロック図である。
【図５】図２の通信システムのホストのブロック図である。
【図６】コンピュータカードに接続するための本発明の例示のモデムのブロック図である。
【図７】コンピュータマザーボートに接続するための本発明の例示のモデムのブロック図である。
【図８Ａ】本発明の例示のモデムの完全な正面図であり、モデム部品が電話回線ジャックに装着された図である。
【図８Ｂ】本発明の例示のモデムの上面図であり、モデム部品が電話回線ジャックの上部に装着された図である。
【図９】コンボカードに接続するための本発明の例示のモデムのブロック図である。
【図１Ａ】
2005537694.tif 000003
【図１Ｂ】
2005537694.tif 000004
【図２】
2005537694.tif 000005
【図３Ａ】
2005537694.tif 000006
【図３Ｂ】
2005537694.tif 000007
【図４】
2005537694.tif 000008
【図５】
2005537694.tif 000009
【図６】
2005537694.tif 000010
【図７】
2005537694.tif 000011
【図８Ａ】
2005537694.tif 000012
【図８Ｂ】
2005537694.tif 000013
【図９】
2005537694.tif 000014
【手続補正書】
【提出日】平成16年4月26日(2004.4.26)
【手続補正１】
【補正対象書類名】特許請求の範囲
【補正対象項目名】全文
【補正方法】変更
【補正の内容】
【特許請求の範囲】
【請求項１】
ホストが通信線上で通信するのを可能にするために用いられるモデムシステムであって、前記ホストはホストコネクタを有し、前記モデムシステムは、
前記通信線とインターフェイスすることができる回線側回路と、
前記回線側回路に結合されたデジタルアイソレーションバリア（ＤＩＢ）と、
前記デジタルアイソレーションバリアに直接ワイヤ接続を与え、かつ前記デジタルアイソレーションバリアおよび前記ホストコネクタの間に直接ワイヤ接続を与えることができるモデムコネクタとを含み、前記デジタルアイソレーションバリアは、前記モデムコネクタを前記回線側回路から分離する、モデムシステム。
【請求項２】
前記回線側回路は、前記デジタルアイソレーションバリアと通信するための回線側ＤＩＢインターフェイスを含む、請求項１に記載のモデムシステム。
【請求項３】
前記デジタルアイソレーションバリアは、２本のデータ／制御線および２本の電力／クロック線を含む複数の線を介して、前記回線側回路に結合される、請求項１に記載のモデムシステム。
【請求項４】
前記複数の線はアースラインを含む、請求項３に記載のモデムシステム。
【請求項５】
前記モデムコネクタは、２本のデータ／制御線および２本の電力／クロック線を含む複数の線を介して前記デジタルアイソレーションバリアに接続される、請求項１に記載のモデムシステム。
【請求項６】
前記複数の線はアースラインを含む、請求項５に記載のモデムシステム。
【請求項７】
前記モデムコネクタは、単一の差動ペアのデータ／制御線を介して前記デジタルアイソレーションバリアに接続される、請求項１に記載のモデムシステム。
【請求項８】
前記モデムコネクタは、前記単一の差動ペアの／データ制御線および１本のアース
ラインを介して前記デジタルアイソレーションバリアに接続される、請求項７に記載のモデムシステム。
【請求項９】
前記モデムコネクタは、複数の差動ペアのデータ／制御線を介して前記デジタルアイソレーションバリアに接続される、請求項１に記載のモデムシステム。
【請求項１０】
前記モデムコネクタは、前記複数の差動ペアのデータ／制御線および１本のアースラインを介して前記デジタルアイソレーションバリアに接続される、請求項９に記載のモデムシステム。
【請求項１１】
前記モデムコネクタは、単一のデータ／制御線を介して前記デジタルアイソレーションバリアに接続される、請求項１に記載のモデムシステム。
【請求項１２】
前記モデムコネクタは、前記単一のデータ／制御線および１本のアースラインを介して前記デジタルアイソレーションバリアに接続される、請求項１１に記載のモデムシステム。
【請求項１３】
ホストが通信線上で通信するのを可能にするために用いられるモデム装置であって、前記ホストはホストコネクタを有し、前記モデム装置は、
前記通信線とインターフェイスすることができる回線側回路と、
前記回線側回路に結合されたデジタルアイソレーションバリア（ＤＩＢ）とを含み、前記デジタルアイソレーションバリアは、直接ワイヤ接続を介してモデムコネクタに接続することができ、前記モデムコネクタは直接ワイヤ接続を前記ホストコネクタに拡張することができ、前記デジタルアイソレーションバリアは、前記モデムコネクタを前記回線側回路から分離することができる、モデム装置。
【請求項１４】
前記回線側回路は、前記デジタルアイソレーションバリアと通信するための回線側ＤＩＢインターフェイスを含む、請求項１３に記載のモデム装置。
【請求項１５】
前記デジタルアイソレーションバリアは、２本のデータ／制御線および２本の電力／クロック線を含む複数の線を介して前記回線側回路に結合される、請求項１３に記載のモデム装置。
【請求項１６】
前記複数の線はアースラインを含む、請求項１５に記載のモデム装置。
【請求項１７】
前記デジタルアイソレーションバリアは、２本のデータ／制御線および２本の電力／クロック線を含む複数の線を介して前記モデムコネクタに接続することができる、請求項１３に記載のモデム装置。
【請求項１８】
前記複数の線はアースラインを含む、請求項１７に記載のモデム装置。
【請求項１９】
前記デジタルアイソレーションバリアは、２本のデータ／制御線および２本の電力／クロック線を介して前記モデムコネクタに接続することができる、請求項１３に記載のモデム装置。
【請求項２０】
前記デジタルアイソレーションバリアは、単一の差動ペアのデータ／制御線を介して、前記モデムコネクタに接続することができる、請求項１３に記載のモデム装置。
【請求項２１】
前記モデムコネクタは、前記単一の差動ペアのデータ／制御線および１本のアースラインを介して前記デジタルアイソレーションバリアに接続される、請求項２０に記載の
モデム装置。
【請求項２２】
前記モデムコネクタは、複数の差動ペアのデータ／制御線を介して前記デジタルアイソレーションバリアに接続される、請求項１３に記載のモデムシステム。
【請求項２３】
前記モデムコネクタは、前記複数の差動ペアのデータ／制御線および１本のアースラインを介して前記デジタルアイソレーションバリアに接続される、請求項２２に記載のモデム装置。
【請求項２４】
前記デジタルアイソレーションバリアは、単一のデータ／制御線を介して前記モデムコネクタに接続することができる、請求項１３に記載のモデム装置。
【請求項２５】
前記デジタルアイソレーションバリアは、前記単一のデータ／制御線および１本のアースラインを介して前記モデムコネクタに接続することができる、請求項２４に記載のモデム装置。
【請求項２６】
ホストが通信線上で通信するのを可能にするために用いられるモデムシステムであって、前記ホストはホストコネクタを有し、前記モデムシステムは、
前記通信線を受けるための開口を有する通信線レシーバを含み、前記開口は複数の側壁を規定し、前記モデムシステムはさらに、
前記通信線レシーバとインターフェイスすることができる回線側回路と、
前記回線側回路に結合されたデジタルアイソレーションバリア（ＤＩＢ）とを含み、前記デジタルアイソレーションバリアはモデムコネクタに接続することができ、前記デジタルアイソレーションバリアは前記モデムコネクタを前記回線側回路から分離し、
前記モデムコネクタは前記ホストコネクタに接続することができ、前記回線回路および前記デジタルアイソレーションバリアは、前記複数の側壁のうちの１つ以上に装着される、モデムシステム。
【請求項２７】
前記デジタルアイソレーションバリアは前記モデムコネクタに接続される、請求項２６に記載のモデムシステム。
【請求項２８】
前記モデムコネクタは前記ホストコネクタに接続される、請求項２６に記載のモデムシステム。
【請求項２９】
前記回線側回路は、前記デジタルアイソレーションバリアと通信するための回線側ＤＩＢインターフェイスを含む、請求項２６に記載のモデムシステム。
【請求項３０】
前記デジタルアイソレーションバリアは、２本のデータ／制御線および２本の電力／クロック線を含む複数の線を介して前記回線側回路に結合される、請求項２６に記載のモデムシステム。
【請求項３１】
前記複数の線はアースラインを含む、請求項３１に記載のモデムシステム。
【請求項３２】
前記モデムコネクタは、２本のデータ／制御線および２本の電力／クロック線を含む複数の線を介して前記デジタルアイソレーションバリアに接続される、請求項２６に記載のモデムシステム。
【請求項３３】
前記複数の線はアースラインを含む、請求項３２に記載のモデムシステム。
【請求項３４】
前記モデムコネクタは、単一の差動ペアのデータ／制御線を介して前記デジタルア
イソレーションバリアに接続される、請求項２６に記載のモデムシステム。
【請求項３５】
前記モデムコネクタは、前記単一の差動ペアのデータ／制御線および１本のアースラインを介して前記デジタルアイソレーションバリアに接続される、請求項３４に記載のモデムシステム。
【請求項３６】
前記モデムコネクタは、複数の差動ペアのデータ／制御線を介して前記デジタルアイソレーションバリアに接続される、請求項２６に記載のモデムシステム。
【請求項３７】
前記モデムコネクタは、前記複数の差動ペアのデータ／制御線および１本のアースラインを介して前記デジタルアイソレーションバリアに接続される、請求項３６に記載のモデムシステム。
【請求項３８】
前記モデムコネクタは、単一のデータ／制御線を介して前記デジタルアイソレーションバリアに接続される、請求項２６に記載のモデムシステム。
【請求項３９】
前記モデムコネクタは、前記単一のデータ／制御線および１本のアースラインを介して前記デジタルアイソレーションバリアに接続される、請求項３８に記載のモデムシステム。
【請求項４０】
モデムをホストに接続するためのモデムコネクタであって、前記モデムは、通信線と通信するために回線側回路に結合されたデジタルアイソレーションバリア（ＤＩＢ）を含み、前記モデムコネクタは、
前記モデムおよび前記ホスト間でデータを通信するためのデータ線と、
前記モデムおよび前記ホスト間で前記データの時間を計るためのクロック線と、
前記ホストから前記モデムへ電力を供給するための電力線とを含み、
前記データ線、前記クロック線および前記電力線は、直接ワイヤ接続を介して前記デジタルアイソレーションバリアに接続することができ、前記デジタルアイソレーションバリアは、前記モデムコネクタを前記回線側回路から分離することができる、モデムコネクタ。
【請求項４１】
前記データ線は送信経路および受信経路を含む、請求項４０に記載のモデムコネクタ。
【請求項４２】
前記データ線は双方向経路である、請求項４０に記載のモデムコネクタ。
【請求項４３】
前記ホストは、ホスト側ＤＩＢインターフェイスを含み、前記モデムコネクタは前記線をホストＤＩＢインターフェイスに与える、請求項４０に記載のモデムコネクタ。
【請求項４４】
前記線を含む４本のワイヤケーブルをさらに含む、請求項４０に記載のモデムコネクタ。
【請求項４５】
アースラインをさらに含む、請求項４０に記載のモデムコネクタ。
【請求項４６】
モデムをホストに接続するためのモデムコネクタであって、前記モデムは、通信線と通信するために回線側回路に結合されたデジタルアイソレーションバリア（ＤＩＢ）を含み、前記モデムコネクタは、
前記モデムおよび前記ホスト間でデータを通信するためのデータ線と、
前記モデムおよび前記ホスト間で前記データの時間を計るためのクロック線と、
前記ホストから前記モデムへ電力を供給するための電力線とから成り、
前記データ線、前記クロック線および前記電力線は、直接ワイヤ接続を介して前記デジタルアイソレーションバリアに接続することができ、前記デジタルアイソレーションバリアは、前記モデムコネクタを前記回線側回路から分離することができる、モデムコネクタ。
【請求項４７】
前記データ線は送信経路および受信経路を含む、請求項４６に記載のモデムコネクタ。
【請求項４８】
前記データ線は双方向経路である、請求項４６に記載のコネクタ。
【請求項４９】
前記ホストはホストＤＩＢインターフェイスを含み、前記モデムコネクタは、前記線をホスト側ＤＩＢインターフェイスに与える、請求項４６に記載のモデムコネクタ。
【請求項５０】
モデムと通信するためのホストコネクタであって、前記モデムは通信線と通信するために回線側回路に結合されたデジタルアイソレーションバリア（ＤＩＢ）を含み、前記ホストコネクタは、
前記モデムおよび前記ホスト間でデータを通信するためのデータ線と、
前記モデムおよび前記ホスト間で前記データの時間を計るためのクロック線と、
前記ホストから前記モデムへ電力を供給するための電力線とを含み、
前記データ線、前記クロック線および前記電力線は、直接ワイヤ接続を介して前記デジタルアイソレーションバリアに接続することができ、前記デジタルアイソレーションバリアは、前記ホストコネクタを前記回線側回路から分離することができる、ホストコネクタ。
【請求項５１】
前記データ線は、送信経路および受信経路を含む、請求項５０に記載のホストコネクタ。
【請求項５２】
前記データ線は双方向経路である。請求項５０に記載のモデムコネクタ。
【請求項５３】
前記ホストはホスト側ＤＩＢインターフェイスを含み、前記ホストコネクタは前記線をホストＤＩＢインターフェイスに与える、請求項５０に記載のホストコネクタ。
【請求項５４】
アースラインをさらに含む、請求項５０に記載のモデムコネクタ。
【請求項５５】
通信線上で通信することができる通信システムであって、前記通信システムは、
前記通信線に接続することができる回線側回路、前記回線側回路に結合されたデジタルアイソレーションバリア（ＤＩＢ）、および直接ワイヤ接続を介して前記デジタルアイソレーションバリアに結合されたモデムコネクタを含むモデムと、
前記直接ワイヤ接続を拡張することによって前記モデムコネクタに接続するためのホストコネクタ、前記直接ワイヤ接続をさらに拡張することによって前記ホストコネクタに結合されたホスト側ＤＩＢインターフェイス、および前記ホスト側ＤＩＢインターフェイスに結合されたホストプロセッサを含むホストとを含み、
前記ホストプロセッサは前記モデムを制御する、通信システム。
【請求項５６】
前記回線側回路は、前記デジタルアイソレーションバリアと通信するための回線側ＤＩＢインターフェイスを含む、請求項５５に記載の通信システム。
【請求項５７】
前記デジタルアイソレーションバリアは、２本のデータ／制御線および２本の電力／クロック線を含む複数の線を介して前記回線側回路に結合される、請求項５５に記載の通信システム。
【請求項５８】
前記複数の線はアースラインを含む、請求項５７に記載の通信システム。
【請求項５９】
前記モデムコネクタは、２本のデータ／制御線および２本の電力／クロック線を含む複数の線を介して前記デジタルアイソレーションバリアに接続される、請求項５５に記載の通信システム。
【請求項６０】
前記複数の線はアースラインを含む、請求項５９に記載の通信システム。
【請求項６１】
前記モデムコネクタは、単一の差動ペアのデータ／制御線を介して前記デジタルアイソレーションバリアに接続される、請求項５５に記載の通信システム。
【請求項６２】
前記モデムコネクタは、前記単一の差動ペアのデータ／制御線および１本のアースラインを介して前記デジタルアイソレーションバリアに接続される、請求項６１に記載の通信システム。
【請求項６３】
前記モデムコネクタは、複数の差動ペアのデータ／制御線を介して前記デジタルアイソレーションバリアに接続される、請求項５５に記載の通信システム。
【請求項６４】
前記モデムコネクタは、前記複数の差動ペアのデータ／制御線および１本のアースラインを介して前記デジタルアイソレーションバリアに接続される、請求項６３に記載の通信システム。
【請求項６５】
前記モデムコネクタは、単一のデータ／制御線を介して前記デジタルアイソレーションバリアに接続される、請求項５５に記載の通信システム。
【請求項６６】
前記モデムコネクタは、前記単一のデータ／制御線および１本のアースラインを介して前記デジタルアイソレーションバリアに接続される、請求項６５に記載の通信システム。
【請求項６７】
通信線上で通信することができる通信システムであって、前記通信システムは、
前記通信線に接続することができる回線側回路、前記回線側回路に結合されたデジタルアイソレーションバリア（ＤＩＢ）、および前記デジタルアイソレーションバリアに結合されたモデムコネクタを含むモデムと、
通信カードを含むホストとを含み、前記通信カードは、前記モデムコネクタを受けるためのホストコネクタ、および前記ホストコネクタに結合されたホスト側ＤＩＢインターフェイスを有する、通信システム。
【請求項６８】
前記通信カードはＰＣＩカードである、請求項６７に記載の通信システム。
【請求項６９】
前記通信カードはＡＭＲカードである、請求項６７に記載の通信システム。
【請求項７０】
前記通信カードはＡＣＲカードである、請求項６７に記載の通信システム。
【請求項７１】
前記通信カードは、コントローラ、ＤＳＰおよびメモリを含み、前記コントローラは前記モデムおよびＤＳＰを制御し、前記メモリは前記コントローラによって実行されるためのソフトウェアを含む、請求項６７に記載の通信システム。
【請求項７２】
前記通信カードはＤＳＰを含み、前記ホストは前記モデムおよび前記ＤＳＰを制御するためのプロセッサを含む、請求項６７に記載の通信システム。
【請求項７３】
前記ホストは、前記モデムを制御しかつＤＳＰとして機能するためのプロセッサを含む、請求項６７に記載の通信システム。
【請求項７４】
前記回線側回路は、前記デジタルアイソレーションバリアと通信するための回線側ＤＩＢインターフェイスを含む、請求項６７に記載の通信システム。
【請求項７５】
前記デジタルアイソレーションバリアは、２本のデータ／制御線および２本の電力／クロック線を含む複数の線を介して前記回線側回路に結合される、請求項６７に記載の通信システム。
【請求項７６】
前記複数の線はアースラインを含む、請求項７５に記載の通信システム。
【請求項７７】
前記モデムコネクタは、２本のデータ／制御線および２本の電力／クロック線を含む複数の線を介して前記デジタルアイソレーションバリアに接続される、請求項６７に記載の通信システム。
【請求項７８】
前記複数の線はアースラインを含む、請求項７７に記載の通信システム。
【請求項７９】
前記モデムコネクタは、単一の差動ペアのデータ／制御線を介して前記デジタルアイソレーションバリアに接続される、請求項６７に記載の通信システム。
【請求項８０】
前記モデムコネクタは、単一の差動ペアのデータ／制御線および１本のアースラインを介して前記デジタルアイソレーションバリアに接続される、請求項７９に記載の通信システム。
【請求項８１】
前記モデムコネクタは、複数の差動ペアのデータ／制御線を介して前記デジタルアイソレーションバリアに接続される、請求項６７に記載の通信システム。
【請求項８２】
前記モデムコネクタは、前記複数の差動ペアのデータ／制御線および１本のアースラインを介して前記デジタルアイソレーションバリアに接続される、請求項８１に記載の通信システム。
【請求項８３】
前記モデムコネクタは、単一のデータ／制御線を介して前記デジタルアイソレーションバリアに接続される、請求項６７に記載の通信システム。
【請求項８４】
前記モデムコネクタは、前記単一のデータ／制御線および１本のアースラインを介して前記デジタルアイソレーションバリアに接続される、請求項８３に記載の通信システム。
【請求項８５】
前記通信カードはコンボカードである、請求項６７に記載の通信システム。
【請求項８６】
前記通信カードはイーサネット（登録商標）カードである、請求項６７に記載の通信システム。
【請求項８７】
前記通信カードはオーディオカードである、請求項６７に記載の通信システム。
【請求項８８】
ホストをモデムに接続することができる通信カードであって、前記通信カードは、
カードモデムコネクタと、
前記ホストに接続することかできるカードホストコネクタとを含み、
前記モデムは、通信線に接続することができる回線側回路、前記回線側回路に結合されたデジタルアイソレーションバリア（ＤＩＢ）、および前記デジタルアイソレーションバリアに結合されたモデムコネクタを含み、前記カードモデムコネクタは前記モデムコネクタに接続することができる、通信カード。
【請求項８９】
前記通信カードはコンボカードである、請求項８８に記載の通信カード。
【請求項９０】
前記通信カードはイーサネット（登録商標）カードである、請求項８８に記載の通信カード。
【請求項９１】
前記通信カードはオーディオカードである、請求項８８に記載の通信カード。
【請求項９２】
前記通信カードはＰＣＩカードである、請求項８８に記載の通信カード。
【請求項９３】
前記通信カードはＰＣＩカードである、請求項８８に記載の通信カード。
【請求項９４】
前記通信カードはＡＭＲカードである、請求項８８に記載の通信カード。
【請求項９５】
前記通信カードはＡＣＲカードである、請求項８８に記載の通信カード。
【請求項９６】
前記通信カードは、コントローラ、ＤＳＰおよびメモリを含み、前記コントローラは前記モデムおよびＤＳＰを制御し、前記メモリは前記コントローラによって実行されるためのソフトウェアを含む、請求項８８に記載の通信カード。
【請求項９７】
前記通信カードはＤＳＰを含み、前記ホストは前記モデムおよび前記ＤＳＰを制御するためのプロセッサを含む、請求項８８に記載の通信カード。
【請求項９８】
前記ホストは前記モデムを制御しかつＤＳＰとして機能するためのプロセッサを含む、請求項８８に記載の通信カード。
【請求項９９】
前記回線側回路は、前記デジタルアイソレーションバリアと通信するための回線側ＤＩＢインターフェイスを含む、請求項８８に記載の通信カード。
【請求項１００】
前記デジタルアイソレーションバリアは、２本のデータ／制御線および２本の電力／クロック線を含む複数の線を介して前記回線側回路に結合される、請求項８８に記載の通信カード。
【請求項１０１】
前記複数の線はアースラインを含む、請求項１００に記載の通信カード。
【請求項１０２】
前記モデムコネクタは、２本のデータ／制御線および２本の電力／クロック線を含む複数の線を介して前記デジタルアイソレーションバリアに接続される、請求項８８に記載の通信カード。
【請求項１０３】
前記複数の線はアースラインを含む、請求項１０２に記載の通信カード。
【請求項１０４】
前記モデムコネクタは、単一の差動ペアのデータ／制御線を介して前記デジタルアイソレーションバリアに接続される、請求項８８に記載の通信カード。
【請求項１０５】
前記モデムコネクタは、前記単一の差動ペアのデータ／制御線および１本のアースラインを介して前記デジタルアイソレーションバリアに接続される、請求項１０４に記載
の通信システム。
【請求項１０６】
前記モデムコネクタは、複数の差動ペアのデータ／制御線を介して前記デジタルアイソレーションバリアに接続される、請求項８８に記載の通信システム。
【請求項１０７】
前記モデムコネクタは、前記複数の差動ペアのデータ／制御線および１本のアースラインを介して前記デジタルアイソレーションバリアに接続される、請求項１０６に記載の通信システム。
【請求項１０８】
前記モデムコネクタは、単一のデータ／制御線を介して前記デジタルアイソレーションバリアに接続される、請求項８８に記載の通信カード。
【請求項１０９】
前記モデムコネクタは、前記単一のデータ／制御線および１本のアースラインを介して前記デジタルアイソレーションバリアに接続される、請求項１０８に記載の通信システム。
【請求項１１０】
ホスト側ＤＩＢインターフェイスをさらに含み、前記カードコネクタは、前記ホスト側ＤＩＢインターフェイスに接続される、請求項８８に記載の通信カード。
【請求項１１１】
前記ホストは、ホストコネクタに結合されたホスト側ＤＩＢインターフェイスを含み、前記カードホストコネクタは前記ホストコネクタに接続される、請求項８８に記載の通信カード。
【請求項１１２】
前記ホストは、端子、コンピュータ、ゲームコンソールまたはセットトップボックスである、請求項８８に記載の通信カード。
【請求項１１３】
前記通信線は、電話回線、ケーブル線、または電力線である、請求項８８に記載の通信カード。
【請求項１１４】
前記モデムは、アナログモデム、ＤＳＬモデム、ケーブルモデム、またはＩＳＤＮ端子アダプタである、請求項８８に記載の通信カード。
【請求項１１５】
モデムをホストに接続するためのモデムコネクタであって、前記モデムコネクタは、
前記モデムおよび前記ホスト間でデータを通信するためのデータ線を含み、
前記モデムは、前記通信線とインターフェイスすることができる回線側回路、前記回線側回路に結合されたデジタルアイソレーションバリア（ＤＩＢ）を含み、前記デジタルアイソレーションバリアは、前記ホストコネクタに接続するために、直接ワイヤ接続を介して前記モデムコネクタに接続することができ、前記デジタルアイソレーションバリアは、前記モデムコネクタを前記回線側回路から分離することができる、モデムコネクタ。
【請求項１１６】
前記データ線は送信経路および受信経路を含む、請求項１１５に記載のモデムコネクタ。
【請求項１１７】
前記データ線は双方向経路である、請求項１１５に記載のモデムコネクタ。
【請求項１１８】
前記ホストはホスト側ＤＩＢインターフェイスを含み、前記モデムコネクタは前記線をホストＤＩＢインターフェイスに与える、請求項１１５に記載のモデムコネクタ。
【請求項１１９】
前記データ線を含むケーブルをさらに含む、請求項１１５に記載のモデムコネクタ
。
【請求項１２０】
アースラインをさらに含む、請求項１１５に記載のモデムコネクタ。
【請求項１２１】
モデムをホストに接続するためのホストコネクタであって、前記ホストコネクタは、
前記モデムおよび前記ホスト間でデータを通信するためのデータ線を含み、
前記モデムは、前記通信線とインターフェイスすることができる回線側回路、前記回線側回路に結合されたデジタルアイソレーションバリア（ＤＩＢ）を含み、前記デジタルアイソレーションバリアは、前記ホストに接続するために、直接ワイヤ接続を介して前記ホストコネクタに接続することができ、前記デジタルアイソレーションバリアは、前記ホストコネクタを前記回線側回路から分離することができる、ホストコネクタ。
【請求項１２２】
前記データ線は送信経路および受信経路を含む、請求項１２１に記載のホストコネクタ。
【請求項１２３】
前記データ線は双方向経路である、請求項１２１に記載のホストコネクタ。
【請求項１２４】
前記ホストはホスト側ＤＩＢインターフェイスを含み、前記ホストコネクタは前記線をホストＤＩＢインターフェイスに与える、請求項１２１に記載のホストコネクタ。
【請求項１２５】
前記データ線を含むケーブルをさらに含む、請求項１２１に記載のホストコネクタ。
【請求項１２６】
アースラインをさらに含む、請求項１２１に記載のホストコネクタ。
【請求項１２７】
前記デジタルアイソレーションバリアは、直接ワイヤ接続を介して前記モデムコネクタに接続され、前記モデムコネクタは、前記直接ワイヤ接続を拡張することによって前記ホストコネクタに接続することができる、請求項２６に記載のモデムシステム。
【請求項１２８】
前記通信線は電話回線ジャックである、請求項２６に記載のモデムシステム。
【国際調査報告】
2005537694.tif 000015
2005537694.tif 000016